(57)【特許請求の範囲】
【請求項１】
圧縮機と、前記圧縮機から吐出された冷媒を凝縮させる庫外凝縮器と、複数の商品収納室に設置され前記庫外凝縮器で凝縮した冷媒を蒸発させて商品収納室内の商品を冷却する庫内蒸発器と、複数の前記庫内蒸発器に冷媒流路を分岐する分岐点と複数の前記庫内蒸発器との間の分岐流路を開閉する分岐流路開閉手段と、複数の商品収納室のうちで冷媒の凝縮熱を利用して商品収納室内の商品を加温する商品収納室に設置された庫内凝縮器と、前記庫内凝縮器で商品収納室内の商品を加温する時に前記圧縮機から吐出された冷媒を、前記庫内凝縮器を経由させてから前記庫外凝縮器に流し、前記庫内凝縮器で商品収納室内の商品を加温しない時に前記圧縮機から吐出された冷媒を、前記庫内凝縮器を経由させずに前記庫外凝縮器に流す庫内凝縮器用流路切替手段と、前記庫外凝縮器と前記分岐流路開閉手段との間の冷媒配管と前記圧縮機の吸い込み側配管とをバイパスするバイパス流路に設けられた庫外蒸発器と、前記庫外蒸発器の流入側で前記バイパス流路を開閉するバイパス流路開閉手段と、前記バイパス流路開閉手段と前記庫外蒸発器との間の前記バイパス流路に設けられ前記庫内凝縮器と前記庫外凝縮器で凝縮し前記バイパス流路に流入した冷媒を減圧するバイパス流路膨張手段と、複数の商品収納室のうちで前記庫内凝縮器が設置されていない少なくとも１つの商品収納室に設置され前記庫外凝縮器で凝縮した冷媒を蒸発させて商品収納室内の商品を前記庫内蒸発器よりも高い温度で冷却する庫内弱冷蒸発器と、前記庫内弱冷蒸発器に冷媒流路を分岐する分岐点と前記庫内弱冷蒸発器との間の分岐流路を開閉する弱冷分岐流路開閉手段と、前記弱冷分岐流路開閉手段と前記庫内弱冷蒸発器との間の流路に前記庫内弱冷蒸発器に流入する冷媒によって前記庫内弱冷蒸発器の温度が冷却商品の凍結する温度以下にならないように冷媒を減圧する弱冷分岐流路膨張手段と、を有する自動販売機。
【請求項２】
前記弱冷分岐流路膨張手段は、キャピラリチューブである請求項１に記載の自動販売機。
【発明の詳細な説明】
【技術分野】
【０００１】
本発明は、冷媒回路（ヒートポンプ）を用いて、缶飲料等の商品を加温または冷却して販売する自動販売機に関するものである。
【背景技術】
【０００２】
近年、自動販売機に対する消費電力量削減の要求が高まってきており、消費電力量削減手段として、冷却によって生じる廃熱あるいは外気の熱を利用して商品が保管された貯蔵庫を加温するものが提案されている（例えば、特許文献１、特許文献２参照）。
【０００３】
以下、図面を参照しながら特許文献１と特許文献２に開示された従来の自動販売機を説明する。
【０００４】
図１９に従来の自動販売機の冷媒回路図、図２０に従来の自動販売機における全室を冷却する冷却運転時の冷媒流路を示す冷媒回路図、図２１に従来の自動販売機における第１の冷却加温室を庫内凝縮器で加温し第２の冷却加温室と冷却専用室を冷却する冷却加温運転時で庫外蒸発器に冷媒を流す場合の冷媒流路を示す冷媒回路図、図２２に従来の自動販売機における第１の冷却加温室を庫内凝縮器で加温し第２の冷却加温室と冷却専用室を冷却する冷却加温運転時で庫外蒸発器に冷媒を流さない場合の冷媒流路を示す冷媒回路図、図２３に従来の自動販売機における第１の冷却加温室を庫内凝縮器で加温する加温運転時の冷媒流路を示す冷媒回路図を示す。
【０００５】
従来の自動販売機は、商品を収納する商品収納庫１と商品収納庫１の下部に配置された機械室（図示せず）を有する。
【０００６】
商品収納庫１は、庫内が、収納する商品を冷却もしくは加温する第１の冷却加温室２、収納する商品を冷却もしくは加温する第２の冷却加温室３、収納する商品を冷却する冷却専用室４に区画されている。また、それぞれの商品収納室内には商品収納棚（図示せず）が上部に吊り下げられており、商品が内部に収納されている。
【０００７】
また、機械室には、圧縮機５と、圧縮機５から吐出された冷媒を凝縮させる庫外凝縮器４０と、庫外蒸発器４１と、庫外凝縮器４０が風上側で庫外蒸発器４１が風下側になるように庫外凝縮器４０と庫外蒸発器４１の近傍に位置して庫外凝縮器４０または庫外蒸発器４１の熱交換が促進されるように送風する庫外ファン２６が配置される。
【０００８】
第１の冷却加温室２内には、庫外凝縮器４０で凝縮した冷媒を蒸発させて第１の冷却加温室２内の商品を冷却する庫内蒸発器４７と、圧縮機５から吐出された冷媒を凝縮させて第１の冷却加温室２内の商品を加温する庫内凝縮器４６と、庫内蒸発器４７と庫内凝縮器４６の近傍に配置され、庫内蒸発器４７または庫内凝縮器４６と熱交換した空気を第１の冷却加温室２内で循環させる庫内ファン２７と、庫内凝縮器４６とは別に必要に応じて第１の冷却加温室２内の商品を加温する場合に通電されて発熱する加温ヒータ３０と、第１の冷却加温室２の室内温度を検出する温度センサー（図示せず）が配置される。
【０００９】
第２の冷却加温室３内には、庫外凝縮器４０で凝縮（庫内凝縮器４６に冷媒が流れている場合は、庫内凝縮器４６と庫外凝縮器４０で凝縮）した冷媒を蒸発させて第２の冷却加温室３内の商品を冷却する庫内蒸発器９と、庫内蒸発器９の近傍に配置され、庫内蒸発器９と熱交換した空気を第２の冷却加温室３内で循環させる庫内ファン２８と、第２の冷却加温室３内の商品を加温する場合に通電されて発熱する加温ヒータ３１と、第２の冷却加
温室３の室内温度を検出する温度センサー（図示せず）が配置される。
【００１０】
冷却専用室４内には、庫外凝縮器４０で凝縮（庫内凝縮器４６に冷媒が流れている場合は、庫内凝縮器４６と庫外凝縮器４０で凝縮）した冷媒を蒸発させて冷却専用室４内の商品を冷却する庫内蒸発器１０と、庫内蒸発器１０の近傍に配置され、庫内蒸発器１０と熱交換した空気を冷却専用室４内で循環させる庫内ファン２９と、冷却専用室４の室内温度を検出する温度センサー（図示せず）が配置される。
【００１１】
庫内蒸発器４７側と庫内蒸発器９，１０側に冷媒流路を分岐する分岐点と、庫内蒸発器４７との間の分岐流路には、第１の冷却加温室２の冷却が必要のため庫内蒸発器４７に冷媒を流す時は開放状態になっており、第１の冷却加温室２の冷却が不要のため庫内蒸発器４７に冷媒を流さない時は閉塞状態になっている分岐流路開閉手段としての電磁弁５１が設けられる。
【００１２】
また、庫内蒸発器９側と庫内蒸発器１０側に冷媒流路を分岐する分岐点には、庫内蒸発器９方向への冷媒の流路と庫内蒸発器１０方向への冷媒の流路を切換えたり、両方の流路を同時に閉じたりすることが可能な分岐流路開閉手段としての三方弁４２が設けられる。
【００１３】
電磁弁５１と庫内蒸発器４７との間の冷媒の流路には庫内蒸発器４７に流れる冷媒を減圧する膨張機構４３が設けられ、三方弁４２と庫内蒸発器９との間の冷媒の流路には庫内蒸発器９に流れる冷媒を減圧する膨張機構４４が設けられ、三方弁４２と庫内蒸発器１０との間の冷媒の流路には、三方弁４２から庫内蒸発器１０方向に流れる冷媒を減圧する膨張機構４５が設けられる。
【００１４】
庫内蒸発器９の冷媒の出口側は、膨張機構４５と庫内蒸発器１０とを接続する冷媒の配管に接続されており、庫内蒸発器９から流出した冷媒が庫内蒸発器１０に流入するように構成されている。
【００１５】
圧縮機５の吐出側の冷媒配管には、庫内凝縮器４６で第１の冷却加温室２内の商品を加温する時に圧縮機５から吐出された冷媒を庫内凝縮器４６を経由させてから庫外凝縮器４０に流し、第１の冷却加温室２内の商品を加温しない時に圧縮機５から吐出された冷媒を庫内凝縮器４６を経由させずに庫外凝縮器４０に流す庫内凝縮器用流路切替手段としての四方切換弁４９が設けられる。
【００１６】
第１の冷却加温室２の庫内凝縮器４６の冷媒の出口側と四方切換弁４９との間の冷媒配管には、庫内凝縮器４６で凝縮した冷媒を減圧する膨張機構４８が設けられる。
【００１７】
また、機械室において、庫外蒸発器４１は、庫外凝縮器４０の冷媒の出口と、庫内蒸発器４７側と庫内蒸発器９，１０側に冷媒流路を分岐する分岐点との間の冷媒配管（庫外凝縮器４０の冷媒の出口側の冷媒配管）と圧縮機５の吸い込み側配管とをバイパスするバイパス流路に設けられる。
【００１８】
庫外蒸発器４１の冷媒の入り口側（バイパス流路の冷媒の入り口側）にはバイパス流路を開閉するバイパス流路開閉手段としての電磁弁５２が設けられる。
【００１９】
また、電磁弁５２と庫外蒸発器４１との間のバイパス流路には、庫内凝縮器４６と庫外凝縮器４０で凝縮してバイパス流路に流入した冷媒を減圧するバイパス流路膨張手段としての膨張機構５３が設けられる。
【００２０】
バイパス流路開閉手段としての電磁弁５２は、圧縮機５から吐出された冷媒が庫内凝縮
器４６を経由して庫外凝縮器４０に流れる場合にのみ開放される。
【００２１】
庫内蒸発器４７の冷媒の出口側の分岐流路と庫内蒸発器１０の冷媒の出口側の分岐流路とが合流する合流点と圧縮機５の吸い込み側との間の冷媒配管と、庫内凝縮器４６で凝縮した冷媒を減圧する膨張機構４８と四方切換弁４９との間の冷媒配管とは、電磁弁５０を介して接続されている。
【００２２】
庫外凝縮器４０と庫外蒸発器４１は、それぞれ、互いに間隔をあけて平行に並べられた複数のフィンと、そのフィンの両側に配置されたエンドプレートとを配管が貫通する熱交換器であり、庫外凝縮器４０用のエンドプレートと庫外蒸発器４１用のエンドプレートとは繋がっているが、庫外凝縮器４０用の配管が貫通するフィンと庫外蒸発器４１用の配管が貫通するフィンとは繋がっていない。
【００２３】
つまり、庫外凝縮器４０と庫外蒸発器４１は、フィンが別々でエンドプレートを共用するように一体化した２パスの熱交換器であり、庫外ファン２６が運転された場合に、庫外凝縮器４０用の配管が風上側で、庫外蒸発器４１用の配管が風下側になるように配置される。
【００２４】
また、庫外凝縮器４０用の配管と庫外蒸発器４１用の配管は、それぞれ、配管内を冷媒が概ね上から下に向かって流れるように構成される。
【００２５】
ここで、一般的な自動販売機においては、第２の冷却加温室３が最も狭い部屋となる場合が多く、第２の冷却加温室３内に設置している庫内蒸発器９についても、第１の冷却加温室２内に設置している庫内蒸発器４７、冷却専用室４内に設置している庫内蒸発器９よりも小型となっている。
【００２６】
そのために、庫内蒸発器９単独のみでの蒸発能力を確保するためには膨張機構４４を大きくして蒸発温度を大きく下げる必要があり、そうすれば圧縮機５の効率が低下し消費電力量が増大してしまう。
【００２７】
そのため、庫内蒸発器９の冷媒の出口と庫内蒸発器１０の冷媒の入り口とを接続し、庫内蒸発器９と庫内蒸発器１０を一つの大きな蒸発器として取り扱えるようにすることにより、蒸発温度を高くして、効率を高めて消費電力量を低減できるようにしている。
【００２８】
以上のように構成された従来の自動販売機について、以下その動作を説明する。
【００２９】
まず、第１の冷却加温室２、第２の冷却加温室３、冷却専用室４の全室を冷却する冷却運転の場合は、図２０の太線の冷媒流路を矢印の向きに冷媒が流れる運転となる。
【００３０】
全室冷却運転の場合は、四方切換弁４９を、圧縮機５の吐出配管と庫外凝縮器４０とが連通し、且つ庫内凝縮器４６の冷媒の入口と庫内凝縮器４６の冷媒の出口が連通して閉ループとなる状態にするとともに、三方弁４２は庫内蒸発器９用の膨張機構４４への流路を開放し庫内蒸発器１０用の膨張機構４５への流路を閉塞する状態にし、電磁弁５１を開放し、電磁弁５２を閉塞し、圧縮機５を起動する。
【００３１】
圧縮機５から吐出された高温高圧のガス状の冷媒は、四方切換弁４９を通過して庫外凝縮器４０で冷却されて凝縮した後に、三方弁４２側と電磁弁５１側に分かれる。なお、庫外凝縮器４０に冷媒が流れている時には、庫外ファン２６が庫外凝縮器４０に送風している。
【００３２】
そして、三方弁４２から膨張機構４４側に流れた液状の冷媒は、膨張機構４４にて減圧された後に庫内蒸発器９で蒸発気化して第２の冷却加温室３を冷却する。なお、庫内蒸発器９に冷媒が流れている時には、庫内ファン２８が庫内蒸発器９に送風している。
【００３３】
また、庫内蒸発器９で蒸発できなかった余剰な液冷媒は、庫内蒸発器９と直列に接続された庫内蒸発器１０で蒸発して冷却専用室４も冷却する（直列冷却運転）。なお、庫内蒸発器１０に冷媒が流れている時には、庫内ファン２９が庫内蒸発器１０に送風している。
【００３４】
その後、第２の冷却加温室３の温度が目標温度（冷却温度範囲の下限値）に達した時点で、三方弁４２から膨張機構４５へと冷媒が流れるように三方弁４２を切り換えることにより、庫内蒸発器９と庫内蒸発器１０のうち庫内蒸発器１０のみの単独冷却を行う（下流側単独冷却運転）。
【００３５】
このように優先的に直列冷却運転を行うことで、余剰液冷媒によって冷却専用室４も冷却されることから下流側単独冷却運転の運転率を低下することができ、消費電力量を低減することができる。
【００３６】
一方、電磁弁５１から膨張機構４３側に流れた液状の冷媒は、膨張機構４３にて減圧された後に庫内蒸発器４７で蒸発気化して第１の冷却加温室２を冷却する。なお、庫内蒸発器４７に冷媒が流れている時には、庫内ファン２７が庫内蒸発器４７に送風している。
【００３７】
そして、庫内蒸発器１０から流出したガス状の冷媒と庫内蒸発器４７から流出したガス状の冷媒が合流して圧縮機５に戻る。
【００３８】
そして、制御手段（図示せず）が、第１の冷却加温室２、第２の冷却加温室３、冷却専用室４の各室内の温度が予め設定された冷却温度範囲内を維持するように、三方弁４２の切換え、電磁弁５１の開閉、圧縮機５と庫外ファン２６と庫内ファン２７，２８，２９の運転を制御している。
【００３９】
例えば、第１の冷却加温室２が、冷却温度範囲の下限値となる所定温度まで冷却されると、電磁弁５１を閉塞すると共に庫内ファン２７を停止する。そして、電磁弁５１が閉塞している状態で、第１の冷却加温室２内の温度が冷却温度範囲の上限値となる所定温度まで上昇すると、電磁弁５１を開放すると共に庫内ファン２７を運転する。
【００４０】
もし、第１の冷却加温室２が、冷却温度範囲の下限値となる所定温度まで冷却された時に、三方弁４２の両方の冷媒の出口が閉塞状態であれば、電磁弁５１を閉塞すると共に圧縮機５と庫内ファン２７を停止し、圧縮機５の停止中に第１の冷却加温室２内の温度が冷却温度範囲の上限値となる所定温度まで上昇すれば、電磁弁５１を開放すると共に圧縮機５を起動し庫内ファン２７を運転する。
【００４１】
また、第２の冷却加温室３が冷却温度範囲の下限値となる所定温度まで冷却されると、膨張機構４４への流路を閉塞し膨張機構４５への流路を開放する状態に三方弁４２を切換えて、庫内ファン２８を停止する。また、圧縮機５の停止中に第２の冷却加温室３内の温度が冷却温度範囲の上限値となる所定温度まで上昇すれば、膨張機構４４への流路を開放し膨張機構４５への流路を閉鎖する状態に三方弁４２を切換えて、圧縮機５を起動し、庫内ファン２８を運転する。
【００４２】
また、三方弁４２が膨張機構４４への流路を閉塞し膨張機構４５への流路を開放して、庫内蒸発器９と庫内蒸発器１０のうち庫内蒸発器１０のみの単独冷却（下流側単独冷却運転）をしている状態で、第２の冷却加温室３内の温度が冷却温度範囲の上限値となる所定
温度まで上昇すれば、膨張機構４４への流路を開放し膨張機構４５への流路を閉塞する状態に三方弁４２を切り換えて、庫内ファン２８を運転する。
【００４３】
また、庫内蒸発器９と庫内蒸発器１０の直列冷却運転から庫内蒸発器１０のみの下流側単独冷却運転への移行後に、冷却専用室４が冷却温度範囲の下限値となる所定温度まで冷却された時に、電磁弁５１が開放状態であれば、三方弁４２の膨張機構４５側の冷媒の出口を閉塞して庫内ファン２９を停止し、電磁弁５１が閉塞状態であれば、三方弁４２の膨張機構４５側の冷媒の出口の閉塞と庫内ファン２９の停止に加え、圧縮機５も停止する。
【００４４】
また、圧縮機５の停止中に冷却専用室４内の温度が冷却温度範囲の上限値となる所定温度まで上昇すれば、膨張機構４４への流路を開放し膨張機構４５への流路を閉塞する状態に三方弁４２を切り換えて、圧縮機５を起動し、庫内ファン２９を運転する。
【００４５】
また、三方弁４２の両方の冷媒の出口が閉塞状態、電磁弁５１が開放状態で、圧縮機５が運転中に、冷却専用室４内の温度が冷却温度範囲の上限値となる所定温度まで上昇すれば、膨張機構４４への流路を開放する状態に三方弁４２を切り換えて、庫内ファン２９を運転する。
【００４６】
なお、圧縮機５の起動時には、予め、三方弁４２は膨張機構４４への流路を開放し膨張機構４５への流路を閉塞する状態にし、電磁弁５１を開放し、電磁弁５２を閉塞する。
【００４７】
そして、圧縮機５を停止した時は、冷媒回路の高低圧をバランスさせるために、三方弁４２の膨張機構４４側の冷媒の出口または膨張機構４５側の冷媒の出口を開放する際には、庫内凝縮器４６の冷媒の出口と圧縮機５の吸い込み側（吸入側）配管とを連通させる。
【００４８】
そして、冷媒回路の高低圧がバランスした後に、三方弁４２の冷媒の出口を閉塞する。
【００４９】
このことによって、圧縮機５の停止中に冷却運転で使用しない庫内凝縮器４６へと余剰な冷媒を貯留する事ができるので、冷却運転中における冷媒量過多を防止することが可能となる。また、電磁弁５０を常時開放することで、四方切換弁４９で冷媒が漏れることによって庫内凝縮器４６へと冷媒が貯留され続けて冷媒不足状態に陥ることを防ぐことができる。
【００５０】
なお、第１の冷却加温室２を加温運転から冷却運転に切換えた時や高外気温度でのイニシャルプルダウン時など、庫内の温度が高く、大きな冷凍能力を必要とする場合においては、圧縮機５の運転・停止にかかわらず常に電磁弁５０を開放して、庫内凝縮器４６の冷媒の出口と圧縮機５の吸い込み側（吸入側）配管とを連通すれば、全冷媒を冷却運転に利用できるので、大きな冷凍能力を得る事ができ、プルダウン時間を短縮することが可能となる。
【００５１】
次に、第１の冷却加温室２を加温し、第２の冷却加温室３、冷却専用室４を冷却する冷却加温運転の場合は、大まかに説明すると、第１の冷却加温室２の庫内温度が所定の庫内上限温度（加熱終了温度）に達するまで、または、圧縮機５の吐出圧力が所定の圧縮機過負荷圧力に達するまでは、バイパス流路の電磁弁５２を開放した図２１の太線の冷媒流路を矢印の向きに冷媒が流れる。
【００５２】
その後、もし、圧縮機５の吐出圧力が所定の圧縮機過負荷圧力に達した場合は、バイパス流路の電磁弁５２を閉塞して、冷媒が、図２２の太線の冷媒流路を矢印の向きに流れるようにする。
【００５３】
圧縮機５の吐出圧力が所定の圧縮機過負荷圧力に達したことにより、バイパス流路の電磁弁５２を閉塞した後、圧縮機５の吐出圧力が圧縮機過負荷圧力より低い所定の圧縮機通常圧力（再開放圧力）に低下すれば、バイパス流路の電磁弁５２を開放して、再び、冷媒が、図２１の太線の冷媒流路を矢印の向きに流れるようにする。
【００５４】
詳細に説明すると、第１の冷却加温室２を加温し、第２の冷却加温室３、冷却専用室４を冷却する冷却加温運転を開始する場合は、図２１に示すように、四方切換弁４９を、圧縮機５の吐出配管と庫内凝縮器４６の冷媒の入口とが連通し、且つ庫内凝縮器４６の冷媒の出口と庫外凝縮器４０とが連通する状態にするとともに、三方弁４２は膨張機構４４への流路を開放し膨張機構４５への流路を閉塞する状態にし、電磁弁５１を閉塞し、電磁弁５２を開放し、圧縮機５を起動する。
【００５５】
圧縮機５から吐出された高温高圧のガス状の冷媒は、四方切換弁４９を通過した後に庫内凝縮器４６へと向かい、庫内凝縮器４６にて一部凝縮し、その際に庫内凝縮器４６の周囲の空気へと放熱することで第１の冷却加温室２内を加温する。なお、庫内凝縮器４６に冷媒が流れている時には、庫内ファン２７が庫内凝縮器４６に送風している。
【００５６】
そして、庫内凝縮器４６を出た冷媒は膨張機構４８にて減圧された後に四方切換弁４９を通過して庫外凝縮器４０にて更に凝縮する。なお、庫外凝縮器４０に冷媒が流れている時には、庫外ファン２６が庫外凝縮器４０に送風している。
【００５７】
庫外凝縮器４０から流出した冷媒は、三方弁４２から庫内蒸発器９用の膨張機構４４側に流れるものと、バイパス流路に分岐して電磁弁５２から膨張機構５３側に流れるものとに分かれる。
【００５８】
三方弁４２から庫内蒸発器９用の膨張機構４４側に流れた冷媒は、膨張機構４４にて減圧された後に庫内蒸発器９で蒸発気化して第２の冷却加温室３を冷却する。なお、庫内蒸発器９に冷媒が流れている時には、庫内ファン２８が庫内蒸発器９に送風している。
【００５９】
庫内蒸発器９で蒸発できなかった余剰な液冷媒は、庫内蒸発器９と直列に接続された庫内蒸発器１０で蒸発して冷却専用室４も冷却する（直列冷却運転）。なお、庫内蒸発器１０に冷媒が流れている時には、庫内ファン２９が庫内蒸発器１０に送風している。
【００６０】
その後、第２の冷却加温室３の温度が目標温度（冷却温度範囲の下限値）に達した時点で庫内蒸発器１０用の膨張機構４５へと冷媒が流入するように三方弁４２を切り換えることで、庫内蒸発器９と庫内蒸発器１０のうち庫内蒸発器１０のみの単独冷却を行う（下流側単独冷却運転）。
【００６１】
このように優先的に直列冷却運転を行うことで、余剰液冷媒によって冷却専用室４も冷却されることから下流側単独冷却運転の運転率を低下することができ、消費電力量を低減することができる。
【００６２】
一方、バイパス流路に分岐して電磁弁５２から膨張機構５３側に流れた冷媒は、膨張機構５３にて減圧された後に庫外蒸発器４１で蒸発気化する。
【００６３】
そして、庫内蒸発器１０から流出したガス状の冷媒と、庫外蒸発器４１から流出したガス状の冷媒とが合流して、圧縮機５に戻る。
【００６４】
その後、もし、圧縮機５の吐出圧力が所定の圧縮機過負荷圧力に達した場合は、制御手段（図示せず）は、バイパス流路の電磁弁５２を閉塞する。
【００６５】
ここで、圧縮機５の吐出圧力検知手段としては、吐出配管上に設けて直接冷媒の圧力を測定する圧力センサ、吐出配管上に設けたサーミスタなどが挙げられる。
【００６６】
ただし、圧縮機５の吐出圧力は凝縮温度の形で熱交換器近傍の配管温度にて近似することが可能であり、また、凝縮温度のように温度が高い状態においては圧力損失による温度変化が非常に小さい（１〜２℃程度）ことから、庫内凝縮器４６近傍の配管上の温度をサーミスタなどにより検知を行うことで低コストでの実現が可能となる。
【００６７】
バイパス流路の電磁弁５２が閉塞している時は、図２２の太線の冷媒流路を矢印の向きに冷媒が流れる。
【００６８】
圧縮機５から吐出された高温高圧のガス状の冷媒は、四方切換弁４９を通過した後に庫内凝縮器４６へと向かい、庫内凝縮器４６にて一部凝縮し、その際に庫内凝縮器４６の周囲の空気へと放熱することで第１の冷却加温室２内を加温する。なお、庫内凝縮器４６に冷媒が流れている時には、庫内ファン２７が庫内凝縮器４６に送風している。
【００６９】
そして、庫内凝縮器４６を出た冷媒は膨張機構４８にて減圧された後に四方切換弁４９を通過して庫外凝縮器４０にて更に凝縮する。なお、庫外凝縮器４０に冷媒が流れている時には、庫外ファン２６が庫外凝縮器４０に送風している。
【００７０】
庫外凝縮器４０から流出した冷媒は、バイパス流路の電磁弁５２が閉塞しているため、全て、三方弁４２から庫内蒸発器９用の膨張機構４４側に流れ、膨張機構４４にて減圧された後に庫内蒸発器９で蒸発気化して第２の冷却加温室３を冷却する。なお、庫内蒸発器９に冷媒が流れている時には、庫内ファン２８が庫内蒸発器９に送風している。
【００７１】
庫内蒸発器９で蒸発できなかった余剰な液冷媒は、庫内蒸発器９と直列に接続された庫内蒸発器１０で蒸発して冷却専用室４も冷却する（直列冷却運転）。なお、庫内蒸発器１０に冷媒が流れている時には、庫内ファン２９が庫内蒸発器１０に送風している。
【００７２】
その後、第２の冷却加温室３の温度が目標温度（冷却温度範囲の下限値）に達した時点で庫内蒸発器１０用の膨張機構４５へと冷媒が流入するように三方弁４２を切り換えることで、庫内蒸発器９と庫内蒸発器１０のうち庫内蒸発器１０のみの単独冷却を行う（下流側単独冷却運転）。
【００７３】
このように優先的に直列冷却運転を行うことで、余剰液冷媒によって冷却専用室４も冷却されることから下流側単独冷却運転の運転率を低下することができ、消費電力量を低減することができる。
【００７４】
そして、庫内蒸発器１０から流出したガス状の冷媒は、圧縮機５に戻る。
【００７５】
バイパス流路の電磁弁５２を閉塞した後、圧縮機５の吐出圧力が圧縮機過負荷圧力より低い所定の圧縮機通常圧力（再開放圧力）に低下すれば、閉塞していたバイパス流路の電磁弁５２を開放して、冷媒が図２１の太線の冷媒流路を矢印の向きに流れるようにする。
【００７６】
バイパス流路の電磁弁５２を開放している場合は、電磁弁５２を閉塞している場合よりも庫内凝縮器４６の加温能力を高めることができる。
【００７７】
バイパス流路の電磁弁５２を開放すると、バイパス流路に冷媒が流れるため冷媒の流路抵抗が減り、冷媒の循環量が増え、庫内蒸発器９，１０の蒸発温度が上昇し、庫内凝縮器
４６の凝縮温度が上昇する。よって、第１の冷却加温室２の庫内凝縮器４６による加温能力が高まり、加温ヒータ３０より効率のよいヒートポンプ加温（冷却加温システムによる加温）にて加温させることができる。
【００７８】
そして、制御手段（図示せず）が、第１の冷却加温室２の室内温度が予め設定された加温温度範囲内を維持し、第２の冷却加温室３、冷却専用室４の各室内の温度が予め設定された冷却温度範囲内を維持するように、四方切換弁４９と三方弁４２の切換え、及び圧縮機５と庫外ファン２６と庫内ファン２７，２８，２９の運転を制御している。
【００７９】
例えば、第１の冷却加温室２が加温温度範囲の上限値となる所定温度（加熱終了温度）まで加温された時に、三方弁４２の庫内蒸発器９用の膨張機構４４への流路（出口）と庫内蒸発器１０用の膨張機構４５への流路（出口）のどちらかが開放状態（庫内蒸発器９と庫内蒸発器１０で第２の冷却加温室３と冷却専用室４の両方の商品収納室を冷却する直列冷却運転中、または庫内蒸発器９と庫内蒸発器１０のうち庫内蒸発器１０のみの単独冷却で冷却専用室４を冷却する下流側単独冷却運転中）であれば、バイパス流路の電磁弁５２を閉塞すると共に庫内ファン２７を停止する。
【００８０】
または、電磁弁５２の閉塞と庫内ファン２７の停止に加えて、四方切換弁４９を、圧縮機５の吐出配管と庫外凝縮器４０とが連通し、且つ庫内凝縮器４６の冷媒の入口と庫内凝縮器４６の冷媒の出口が連通して閉ループとなる状態にする。
【００８１】
ここで、バイパス流路の電磁弁５２を閉塞すると共に庫内ファン２７を停止するが、四方切換弁４９を、圧縮機５の吐出配管と庫外凝縮器４０とが連通し、且つ庫内凝縮器４６の冷媒の入口と庫内凝縮器４６の冷媒の出口が連通して閉ループとなる状態にしない場合は、バイパス流路の電磁弁５２の閉塞により、第１の冷却加温室２の庫内凝縮器４６による加温能力を低下させ、庫内ファン２７の停止により、第１の冷却加温室２内の空気と庫内凝縮器４６との熱交換量が低下する。
【００８２】
この場合、圧縮機５から吐出された高温高圧のガス状の冷媒の大半が、庫内凝縮器４６で凝縮できず、庫外凝縮器４０にて凝縮される。庫外凝縮器４０にて充分に凝縮させる必要がある場合は、庫外ファン２６の送風量を増やすことにより、庫外凝縮器４０と外気との熱交換量を増加させる。
【００８３】
そして、バイパス流路の電磁弁５２を閉塞すると共に庫内ファン２７を停止した後に、第１の冷却加温室２の温度が加温温度範囲の下限値となる所定温度まで低下すれば、再び電磁弁５２を開放すると共に、庫内ファン２７を運転する。
【００８４】
もし、庫内凝縮器４６に圧縮機５からの冷媒が流れないように四方切換弁４９を切り換えた後に、第１の冷却加温室２の温度が加温温度範囲の下限値となる所定温度まで低下すれば、電磁弁５２の開放と庫内ファン２７の運転に加えて、再び四方切換弁４９を、圧縮機５の吐出配管と庫内凝縮器４６の冷媒の入口とが連通し、且つ庫内凝縮器４６の冷媒の出口と庫外凝縮器４０とが連通する状態に戻す。
【００８５】
また、第２の冷却加温室３が冷却温度範囲の下限値となる所定温度まで冷却されると、庫内蒸発器９用の膨張機構４４への流路（出口）を閉塞し庫内蒸発器１０用の膨張機構４５への流路（出口）を開放する状態に三方弁４２を切換えると共に、庫内ファン２８を停止する。また、圧縮機５の停止中に第２の冷却加温室３内の温度が冷却温度範囲の上限値となる所定温度まで上昇すれば、庫内蒸発器９用の膨張機構４４への流路（出口）を開放し膨張機構４５への流路（出口）を閉鎖する状態に三方弁４２を切換えて、バイパス流路の電磁弁５２を閉塞して、圧縮機５を起動し、庫内ファン２８を運転する。
【００８６】
また、三方弁４２が庫内蒸発器９用の膨張機構４４への流路（出口）を閉塞し庫内蒸発器１０用の膨張機構４５への流路（出口）を開放して、庫内蒸発器９と庫内蒸発器１０のうち庫内蒸発器１０のみの単独冷却（下流側単独冷却運転）をしている状態で、第２の冷却加温室３内の温度が冷却温度範囲の上限値となる所定温度まで上昇すれば、庫内蒸発器９用の膨張機構４４への流路（出口）を開放し庫内蒸発器１０用の膨張機構４５への流路（出口）を閉塞する状態に三方弁４２を切り換えると共に、庫内ファン２８を運転する。
【００８７】
また、庫内蒸発器９と庫内蒸発器１０の直列冷却運転から庫内蒸発器１０のみの下流側単独冷却運転への移行後に、冷却専用室４が冷却温度範囲の下限値となる所定温度まで冷却された時に、四方切換弁４９が、圧縮機５の吐出配管と庫外凝縮器４０とが連通し、且つ庫内凝縮器４６の冷媒の入口と庫内凝縮器４６の冷媒の出口が連通して閉ループとなる状態（第１の冷却加温室２の加温が不要で、庫内凝縮器４６に圧縮機５から吐出された冷媒が流れていない状態）であれば、三方弁４２の庫内蒸発器１０用の膨張機構４５側の冷媒の出口の閉塞と庫内ファン２９の停止に加え、圧縮機５を停止する。
【００８８】
また、庫内蒸発器９と庫内蒸発器１０の直列冷却運転から庫内蒸発器１０のみの下流側単独冷却運転への移行後に、冷却専用室４が冷却温度範囲の下限値となる所定温度まで冷却された時に、四方切換弁４９が、圧縮機５の吐出配管と庫内凝縮器４６の冷媒の入口とが連通し、且つ庫内凝縮器４６の冷媒の出口と庫外凝縮器４０とが連通する状態（第１の冷却加温室２の加温が必要で、庫内凝縮器４６に圧縮機５から吐出された冷媒が流れている状態）であれば、三方弁４２の庫内蒸発器１０用の膨張機構４５側の冷媒の出口の閉塞と庫内ファン２９の停止に加え、バイパス流路の電磁弁５２を開放して、図２３に示す状態にすることにより、庫内凝縮器４６による第１の冷却加温室２の加温を継続する。
【００８９】
加温ヒータ３０は、ヒートポンプ運転が出来ないような極低温時やイニシャルプルアップのような加温負荷が大きい場合に加温するための補助的なものであり、通常加温においては、効率の良いヒートポンプ加温を行うように設計、制御されている。
【００９０】
次に、第１の冷却加温室２を加温するのみの加温運転の場合は、図２３の太線の冷媒流路を矢印の向きに冷媒が流れる運転となる。
【００９１】
第１の冷却加温室２を加温するのみの加温運転の場合は、四方切換弁４９を、圧縮機５の吐出配管と庫内凝縮器４６の冷媒の入口とが連通し、且つ庫内凝縮器４６の冷媒の出口と庫外凝縮器４０とが連通する状態にするとともに、庫内蒸発器４７用の膨張機構４３に冷媒が流れないように電磁弁５１を閉塞し、三方弁４２の庫内蒸発器９用の膨張機構４４への流路（出口）と庫内蒸発器１０用の膨張機構４５への流路（出口）の全ての流路（出口）を閉塞し、バイパス流路の電磁弁５２を開放し、圧縮機５を起動し、庫外ファン２６と庫内ファン２７を運転する。
【００９２】
圧縮機５から吐出された高温高圧のガス状の冷媒は、四方切換弁４９を通過した後に庫内凝縮器４６へと向かい、庫内凝縮器４６にて一部凝縮し、その際に庫内凝縮器４６の周囲の空気へと放熱することで第１の冷却加温室２内を加温する。庫内凝縮器４６を出た冷媒は膨張機構４８にて減圧された後に四方切換弁４９を通過して庫外凝縮器４０にて更に凝縮する。
【００９３】
庫外凝縮器４０から流出した冷媒は、三方弁４２の２つの出口と電磁弁５１が閉塞され電磁弁５２が開放されているため、庫内蒸発器９，１０，４７には流れず、全て、バイパス流路側に流れる。
【００９４】
そして、バイパス流路の電磁弁５２を通過し、膨張機構５３にて減圧された後に庫外蒸発器４１にて蒸発気化し、圧縮機５へと還流する。
【００９５】
そして、第１の冷却加温室２が、加温温度範囲の上限値となる所定温度まで加温されると、制御手段（図示せず）が、圧縮機５と庫外ファン２６と庫内ファン２７を停止し、圧縮機５と庫外ファン２６と庫内ファン２７が停止中に第１の冷却加温室２の温度が加温温度範囲の下限値となる所定温度まで低下すると、制御手段（図示せず）が、圧縮機５と庫外ファン２６と庫内ファン２７を運転する。
【００９６】
上記のように、第１の冷却加温室２を加温する場合に、電磁弁５２の開閉と、三方弁４２の庫内蒸発器９用の膨張機構４４への流路（出口）と庫内蒸発器１０用の膨張機構４５への流路（出口）の開閉を制御して、庫内蒸発器９，１０と庫外蒸発器４１のいずれかで冷媒を蒸発させることによって、第１の冷却加温室２を加温するために必要な熱源を庫内蒸発器９，１０もしくは庫外蒸発器４１から選択することができるので、第２の冷却加温室３、冷却専用室４の負荷状態に関係なく、圧縮機５の運転を継続して第１の冷却加温室２を加温することが可能となり、冷却室の負荷が低下する低外気温時においてもヒートポンプ加温運転をすることによる消費電力量削減を図ることができる。
【００９７】
さらに、庫内凝縮器４６の冷媒の出口側と庫外凝縮器４０との間（庫内凝縮器４６の冷媒の出口側と四方切換弁４９との間）の配管上に膨張機構４８を設けることで庫内凝縮温度と庫外凝縮温度に差をつけることができ、低外気時において庫外凝縮器４０の凝縮温度や凝縮圧力が下がった場合でも、庫内凝縮器４６は高い凝縮温度を維持することができ、第１の冷却加温室２を効率よく加温する事ができるので、冬場に低外気温となる地域でも効率の高い加温運転を実施できる。
【００９８】
また、庫内凝縮器４６の冷媒の出口側と庫外凝縮器４０との間（庫内凝縮器４６の冷媒の出口側と四方切換弁４９との間）の配管上に膨張機構４８を設けると、冷媒密度が低下するので冷媒量を削減することができる。冷媒量を削減することによって凝縮器を２個使用する冷却加温運転と凝縮器を１個使用する冷却運転とで生じる最適冷媒量差を減少することができるとともに、可燃性冷媒を用いた際の漏洩時におけるリスク軽減にもつなげることができる。
【００９９】
膨張機構４８にキャピラリチューブを用いることで、膨張機構としての役割と庫内凝縮器４６、四方切換弁４９とを接続する配管としての役割を兼用することができるので、膨張弁などを用いた場合と比較して、さらに冷媒量を削減することが可能となる。また、膨張機構４３，４４，４５，５３についても、キャピラリチューブを用いることができる。
【０１００】
また、庫内（ヒートポンプ加温運転をする第１の冷却加温室２）、庫外（機械室）ともに凝縮器と蒸発器とを個別に配置することで、各々１つの熱交換器を凝縮器、蒸発器として使い分けるのと比較して、蒸発器出口と圧縮機吸入配管とを接続した配管上に設けた電磁弁を廃止することができ、圧力損失による効率低下を防止することができる。また、凝縮器と蒸発器それぞれで最適仕様とすることができるのでより効率の高い運転をすることが可能となる。
【０１０１】
さらに、庫外凝縮器４０の下流側で庫内蒸発器９，１０もしくは庫外蒸発器４１を選択する形で運転モードを切り替えることで、冷却加温運転、加温運転のどちらにおいても庫内凝縮器４６で凝縮された冷媒が再度、庫外凝縮器４０で凝縮され、冷却加温運転と加温運転とで凝縮器の配管容積が同一になり、最適冷媒量を同一にすることが可能となる。
【０１０２】
加温運転の場合は、商品収納庫下部の機械室に設置した庫外蒸発器４１にて冷媒が蒸発
気化して周囲空気を冷却することになるために、周囲空気の湿度が高い状態においては庫外蒸発器４１内の配管が結露もしくは着霜し、結露水が機械室から自動販売機外へと滴下する恐れがあるが、この場合においても庫外凝縮器４０と庫外蒸発器４１とをフィンを共用した一体型熱交換器とし、さらに常に庫外凝縮器４０にて放熱して凝縮する配管構成とすることで庫外凝縮器４０と庫外蒸発器４１との間で熱交換することができ、そのことにより庫外蒸発器４１により周囲空気を冷却する熱量を緩和することができると共に庫外凝縮器４０からの放熱によって一体型熱交換器のフィンを暖めることで結露水を蒸発させることができるので結露水の自販機庫外への滴下を防ぐことができる。
【０１０３】
この際に、庫外凝縮器４０の配管を庫外ファン２６が運転した時に風上側になるように配置することで、より庫外凝縮器４０と庫外蒸発器４１との熱交換を高めることができ、より結露を抑制することが可能となる。
【０１０４】
さらに、庫外蒸発器４１の中で最も温度が低下する入口を一体型熱交換器の上部に配置することで結露水がフィンをつたって滴下する距離が長くなるので滴下途中で蒸発しやすく、より滴下しにくくなる。さらに、一体型熱交換器の下部に滴下した結露水を受ける皿を配置することでさらに自動販売機庫外への滴下を防ぐことができる。
【０１０５】
また、庫内凝縮器４６内を冷媒が通過しない冷却運転においては四方切換弁４９内で高圧となる圧縮機５の吐出配管側から低圧側となる庫内凝縮器４６側へと冷媒が漏洩することで庫内凝縮器４６へと冷媒や冷凍機油が滞留し続けて冷却能力不足や圧縮機の故障などが生じる原因となるが、庫内凝縮器４６と低圧側配管とを接続する配管上に電磁弁５０を設けており、電磁弁５０を開放することで庫内凝縮器４６へと滞留した冷媒やオイルを低圧となる圧縮機５の吸入配管へと回収することができ、冷却能力不足や圧縮機５の故障を防止することができる。
【０１０６】
また、電磁弁５０を開放することで庫内凝縮器４６の配管内圧力も圧縮機５の吸入圧力と同一になる。そのことによって四方切換弁４９内での高低圧差を確保することができ、四方切換弁４９内での冷媒の漏洩を防止することも可能となる。
【０１０７】
なお、四方切換弁４９における冷媒の漏れ量は通常時は非常に少ないので、電磁弁５０を常に開放するのでなく、圧縮機５の起動中に定期的に所定の時間開放するとしても同様の効果を得ることができる。そのことによって電磁弁５０電力量を最低限に抑制することも可能となる。
【０１０８】
さらに、四方切換弁４９に異常があり、四方切換弁４９の漏れ量が通常よりも多い場合を検知して、電磁弁５０の開放時間を変更させる制御があると漏れ量が多くなる異常時においても対応することが可能となる。
【０１０９】
庫内凝縮器４６と圧縮機５の吸入配管とを接続することで滞留冷媒の回収を行ったが、接続する配管は圧縮機５の吸入圧力と同一となる場所であればどこでもよく、具体的には膨張機構４３、４４、４５、５３より下流であれば良い。
【０１１０】
ただし、商品収納庫内で接続すると商品収納庫内に電磁弁５０を設けることとなり、スペースが必要となることから商品収納スペースが狭くなる可能性があることと、商品収納庫を冷却している場合は電磁弁５０に通電することで熱負荷となることから圧縮機５の吸入配管近傍に接続するのが最も効率良く冷媒回収を行うことができる。
【０１１１】
庫外凝縮器４０の配管を一体型熱交換器の下部に配置し、庫外蒸発器４１の配管を一体型熱交換器の上部に配置した場合は、上部の庫外蒸発器４１において発生しフィンを伝っ
て滴下する結露水を下部の庫外凝縮器４０近傍で蒸発することで、結露水の滴下を防止することができる。
【０１１２】
圧縮機５については、第１の冷却加温室２、第２の冷却加温室３、冷却専用室４の冷却負荷または第１の冷却加温室２の加温負荷が大きく、所定温度範囲に冷却または加温するのに時間がかかる場合に能力を上げる能力可変型の圧縮機も使用できる。
【０１１３】
同様に、庫外ファン２６と庫内ファン２７，２８，２９についても、必要に応じて送風量を増減できるファンも使用できる。
【０１１４】
また、庫外ファン２６と庫内ファン２７，２８，２９の運転と停止のタイミングは、必要に応じて、圧縮機５の動作や、対応する熱交換器の冷媒の流れの状態の変化のタイミングからずらすことも可能であり、可燃性冷媒を用いている場合は、圧縮機５の停止時に庫外ファン２６を所定能力で運転しても良い。
【先行技術文献】
【特許文献】
【０１１５】
【特許文献１】特開２０１３−８４０７３号公報
【特許文献２】特開２００６−８９２０９号公報
【発明の概要】
【発明が解決しようとする課題】
【０１１６】
上記従来の自動販売機は、第１の冷却加温室２を加温する場合に、庫内蒸発器９，１０と庫外蒸発器４１のいずれかで冷媒を蒸発させることによって、第１の冷却加温室２を加温するために必要な熱源を庫内蒸発器９，１０もしくは庫外蒸発器４１から選択して、第２の冷却加温室３、冷却専用室４の負荷状態に関係なく、圧縮機５の運転を継続して第１の冷却加温室２を加温することが可能となり、冷却室の負荷が低下する低外気温時においてもヒートポンプ加温運転をすることによる消費電力量削減を図ることができるというものであるが、まだ、冷却室の負荷が低下する低外気温時において第１の冷却加温室２を加温する場合に、ヒートポンプ加温運転で対応できないことがあり、更なる消費電力量削減が望まれていた。
【０１１７】
本発明は、冷却室の負荷が低下する低外気温時においてヒートポンプ加温能力を高めてヒートポンプ加温運転によって消費電力量を更に削減することを目的としている。
【課題を解決するための手段】
【０１１８】
上記目的を達成するために、本発明の自動販売機は、圧縮機と、前記圧縮機から吐出された冷媒を凝縮させる庫外凝縮器と、複数の商品収納室に設置され前記庫外凝縮器で凝縮した冷媒を蒸発させて商品収納室内の商品を冷却する庫内蒸発器と、複数の前記庫内蒸発器に冷媒流路を分岐する分岐点と複数の前記庫内蒸発器との間の分岐流路を開閉する分岐流路開閉手段と、複数の商品収納室のうちで冷媒の凝縮熱を利用して商品収納室内の商品を加温する商品収納室に設置された庫内凝縮器と、前記庫内凝縮器で商品収納室内の商品を加温する時に前記圧縮機から吐出された冷媒を、前記庫内凝縮器を経由させてから前記庫外凝縮器に流し、前記庫内凝縮器で商品収納室内の商品を加温しない時に前記圧縮機から吐出された冷媒を、前記庫内凝縮器を経由させずに前記庫外凝縮器に流す庫内凝縮器用流路切替手段と、前記庫外凝縮器と前記分岐流路開閉手段との間の冷媒配管と前記圧縮機の吸い込み側配管とをバイパスするバイパス流路に設けられた庫外蒸発器と、前記庫外蒸発器の流入側で前記バイパス流路を開閉するバイパス流路開閉手段と、前記バイパス流路開閉手段と前記庫外蒸発器との間の前記バイパス流路に設けられ前記庫内凝縮器と前記庫外凝縮器で凝縮し前記バイパス流路に流入した冷媒を減圧するバイパス流路膨張手段と、
複数の商品収納室のうちで前記庫内凝縮器が設置されていない少なくとも１つの商品収納室に設置され前記庫外凝縮器で凝縮した冷媒を蒸発させて商品収納室内の商品を前記庫内蒸発器よりも高い温度で冷却する庫内弱冷蒸発器と、前記庫内弱冷蒸発器に冷媒流路を分岐する分岐点と前記庫内弱冷蒸発器との間の分岐流路を開閉する弱冷分岐流路開閉手段と、前記弱冷分岐流路開閉手段と前記庫内弱冷蒸発器との間の流路に前記庫内弱冷蒸発器に流入する冷媒によって前記庫内弱冷蒸発器の温度が冷却商品の凍結する温度以下にならないように冷媒を減圧する弱冷分岐流路膨張手段と、を有している。
【０１１９】
これによって、冷却室の負荷が低下する低外気温時において、庫内凝縮器を有する商品収納室で庫内凝縮器により加温するが、他の商品収納室の庫内蒸発器に冷媒を流せない場合でも、庫内弱冷蒸発器と庫外蒸発器のどちらか一方または両方に冷媒を流す冷媒流路にすることにより、圧縮機の運転を継続でき、庫内凝縮器のヒートポンプ加温能力を高めて、効率の良いヒートポンプ加温運転によって消費電力量を更に削減することができる。
【発明の効果】
【０１２０】
本発明の自動販売機は、冷却室の負荷が低下する低外気温時において、庫内凝縮器を有する商品収納室で庫内凝縮器により加温するが、他の商品収納室の庫内蒸発器に冷媒を流せない場合でも、庫内弱冷蒸発器と庫外蒸発器のどちらか一方または両方に冷媒を流す冷媒流路にすることにより、圧縮機の運転を継続でき、庫内凝縮器のヒートポンプ加温能力を高めて、効率の良いヒートポンプ加温運転によって消費電力量を更に削減することができる。
【図面の簡単な説明】
【０１２１】
【図１】本発明の実施の形態１の自動販売機の冷媒回路図
【図２】本発明の実施の形態１の自動販売機における第１の冷却加温室のみ冷却する冷却運転時の冷媒回路図
【図３】本発明の実施の形態１の自動販売機における第２の冷却加温室と冷却専用室とを冷却する冷却運転時の冷媒回路図
【図４】本発明の実施の形態１の自動販売機における冷却専用室のみ冷却する冷却運転時の冷媒回路図
【図５】本発明の実施の形態１の自動販売機における第１の冷却加温室を庫内凝縮器で加温し第２の冷却加温室と冷却専用室を冷却する冷却加温運転時で庫内弱冷蒸発器と庫外蒸発器に冷媒を流さない場合の冷媒流路を示す冷媒回路図
【図６】本発明の実施の形態１の自動販売機における第１の冷却加温室を庫内凝縮器で加温し冷却専用室を冷却する冷却加温運転時で庫内弱冷蒸発器と庫外蒸発器に冷媒を流さない場合の冷媒流路を示す冷媒回路図
【図７】本発明の実施の形態１の自動販売機における第１の冷却加温室を庫内凝縮器で加温し第２の冷却加温室と冷却専用室を冷却する冷却加温運転時で庫外蒸発器に冷媒を流し庫内弱冷蒸発器に冷媒を流さない場合の冷媒流路を示す冷媒回路図
【図８】本発明の実施の形態１の自動販売機における第１の冷却加温室を庫内凝縮器で加温し冷却専用室を冷却する冷却加温運転時で庫外蒸発器に冷媒を流し庫内弱冷蒸発器に冷媒を流さない場合の冷媒流路を示す冷媒回路図
【図９】本発明の実施の形態１の自動販売機における第１の冷却加温室を庫内凝縮器で加温する加温運転時で庫外蒸発器に冷媒を流し庫内弱冷蒸発器に冷媒を流さない場合の冷媒流路を示す冷媒回路図
【図１０】本発明の実施の形態１の自動販売機における第１の冷却加温室を庫内凝縮器で加温する加温運転時で庫内弱冷蒸発器と庫外蒸発器に冷媒を流す場合の冷媒流路を示す冷媒回路図
【図１１】本発明の実施の形態１の自動販売機における第１の冷却加温室を庫内凝縮器で加温する加温運転時で庫内弱冷蒸発器に冷媒を流し庫外蒸発器に冷媒を流さない場合の冷媒流路を示す冷媒回路図
【図１２】本発明の実施の形態１の自動販売機における第１の冷却加温室を庫内凝縮器で加温し第２の冷却加温室を加温ヒータで加温し冷却専用室を冷却する冷却加温運転時で庫内弱冷蒸発器と庫外蒸発器に冷媒を流さない場合の冷媒流路を示す冷媒回路図
【図１３】本発明の実施の形態１の自動販売機における第１の冷却加温室を庫内凝縮器で加温し第２の冷却加温室を加温ヒータで加温し冷却専用室を冷却する冷却加温運転時で庫外蒸発器に冷媒を流し庫内弱冷蒸発器に冷媒を流さない場合の冷媒流路を示す冷媒回路図
【図１４】本発明の実施の形態１の自動販売機における第１の冷却加温室を庫内凝縮器で加温し第２の冷却加温室を加温ヒータで加温する加温運転時で庫外蒸発器に冷媒を流し庫内弱冷蒸発器に冷媒を流さない場合の冷媒流路を示す冷媒回路図
【図１５】本発明の実施の形態１の自動販売機における第１の冷却加温室を庫内凝縮器で加温し第２の冷却加温室を加温ヒータで加温する加温運転時で庫内弱冷蒸発器と庫外蒸発器に冷媒を流す場合の冷媒流路を示す冷媒回路図
【図１６】本発明の実施の形態１の自動販売機における第１の冷却加温室を庫内凝縮器で加温し第２の冷却加温室を加温ヒータで加温する加温運転時で庫内弱冷蒸発器に冷媒を流し庫外蒸発器に冷媒を流さない場合の冷媒流路を示す冷媒回路図
【図１７】本発明の実施の形態１の自動販売機における第１の冷却加温室を加温ヒータで加温し第２の冷却加温室と冷却専用室を冷却する冷却加温運転時で庫内弱冷蒸発器と庫外蒸発器に冷媒を流さない場合の冷媒流路を示す冷媒回路図
【図１８】本発明の実施の形態１の自動販売機における第１の冷却加温室を加温ヒータで加温し冷却専用室を冷却する冷却加温運転時で庫内弱冷蒸発器と庫外蒸発器に冷媒を流さない場合の冷媒流路を示す冷媒回路図
【図１９】従来の自動販売機の冷媒回路図
【図２０】従来の自動販売機における全室を冷却する冷却運転時の冷媒流路を示す冷媒回路図
【図２１】従来の自動販売機における第１の冷却加温室を庫内凝縮器で加温し第２の冷却加温室と冷却専用室を冷却する冷却加温運転時で庫外蒸発器に冷媒を流す場合の冷媒流路を示す冷媒回路図
【図２２】従来の自動販売機における第１の冷却加温室を庫内凝縮器で加温し第２の冷却加温室と冷却専用室を冷却する冷却加温運転時で庫外蒸発器に冷媒を流さない場合の冷媒流路を示す冷媒回路図
【図２３】従来の自動販売機における第１の冷却加温室を庫内凝縮器で加温する加温運転時の冷媒流路を示す冷媒回路図
【発明を実施するための形態】
【０１２２】
第１の発明は、圧縮機と、前記圧縮機から吐出された冷媒を凝縮させる庫外凝縮器と、複数の商品収納室に設置され前記庫外凝縮器で凝縮した冷媒を蒸発させて商品収納室内の商品を冷却する庫内蒸発器と、複数の前記庫内蒸発器に冷媒流路を分岐する分岐点と複数の前記庫内蒸発器との間の分岐流路を開閉する分岐流路開閉手段と、複数の商品収納室のうちで冷媒の凝縮熱を利用して商品収納室内の商品を加温する商品収納室に設置された庫内凝縮器と、前記庫内凝縮器で商品収納室内の商品を加温する時に前記圧縮機から吐出された冷媒を、前記庫内凝縮器を経由させてから前記庫外凝縮器に流し、前記庫内凝縮器で商品収納室内の商品を加温しない時に前記圧縮機から吐出された冷媒を、前記庫内凝縮器を経由させずに前記庫外凝縮器に流す庫内凝縮器用流路切替手段と、前記庫外凝縮器と前記分岐流路開閉手段との間の冷媒配管と前記圧縮機の吸い込み側配管とをバイパスするバイパス流路に設けられた庫外蒸発器と、前記庫外蒸発器の流入側で前記バイパス流路を開閉するバイパス流路開閉手段と、前記バイパス流路開閉手段と前記庫外蒸発器との間の前記バイパス流路に設けられ前記庫内凝縮器と前記庫外凝縮器で凝縮し前記バイパス流路に流入した冷媒を減圧するバイパス流路膨張手段と、複数の商品収納室のうちで前記庫内凝
縮器が設置されていない少なくとも１つの商品収納室に設置され前記庫外凝縮器で凝縮した冷媒を蒸発させて商品収納室内の商品を前記庫内蒸発器よりも高い温度で冷却する庫内弱冷蒸発器と、前記庫内弱冷蒸発器に冷媒流路を分岐する分岐点と前記庫内弱冷蒸発器との間の分岐流路を開閉する弱冷分岐流路開閉手段と、前記弱冷分岐流路開閉手段と前記庫内弱冷蒸発器との間の流路に前記庫内弱冷蒸発器に流入する冷媒によって前記庫内弱冷蒸発器の温度が冷却商品の凍結する温度以下にならないように冷媒を減圧する弱冷分岐流路膨張手段と、を有する自動販売機である。
【０１２３】
上記構成により、冷却室の負荷が低下する低外気温時において、庫内凝縮器を有する商品収納室で庫内凝縮器により加温するが、他の商品収納室の庫内蒸発器に冷媒を流せない場合でも、庫内弱冷蒸発器と庫外蒸発器のどちらか一方または両方に冷媒を流す冷媒流路にすることにより、圧縮機の運転を継続でき、庫内凝縮器のヒートポンプ加温能力を高めて、効率の良いヒートポンプ加温運転によって消費電力量を更に削減することができる。
【０１２４】
また、前記弱冷分岐流路開閉手段と前記庫内弱冷蒸発器との間の流路に、前記庫内弱冷蒸発器に流入する冷媒によって前記庫内弱冷蒸発器の温度が冷却商品が凍結する温度以下にならないように冷媒を減圧する弱冷分岐流路膨張手段を有するものであり、庫内弱冷蒸発器に流入する冷媒によって庫内弱冷蒸発器の温度が冷却商品が凍結する温度以下にならないので、庫内弱冷蒸発器が設置された商品収納室内の冷却商品を庫内蒸発器で冷却していない時に、庫内弱冷蒸発器に冷媒を流して庫内凝縮器で加温することができる。
【０１２５】
第２の発明は、特に第１の発明における、前記弱冷分岐流路膨張手段にキャピラリチューブを用いたものであり、弱冷分岐流路膨張手段に電子膨張弁を用いた場合よりも構成が簡単でコストを低減できる。
【０１２６】
以下、本発明の自動販売機の実施の形態について、図面を参照しながら説明するが、この実施の形態によって本発明が限定されるものではない。
【０１２７】
（実施の形態１）
図１は、本発明の実施の形態１の自動販売機の冷媒回路図である。図２は、本発明の実施の形態１の自動販売機における第１の冷却加温室のみ冷却する冷却運転時の冷媒回路図である。図３は、本発明の実施の形態１の自動販売機における第２の冷却加温室と冷却専用室とを冷却する冷却運転時の冷媒回路図である。図４は、本発明の実施の形態１の自動販売機における冷却専用室のみ冷却する冷却運転時の冷媒回路図である。
【０１２８】
図５は、本発明の実施の形態１の自動販売機における第１の冷却加温室を庫内凝縮器で加温し第２の冷却加温室と冷却専用室を冷却する冷却加温運転時で庫内弱冷蒸発器と庫外蒸発器に冷媒を流さない場合の冷媒流路を示す冷媒回路図である。図６は、本発明の実施の形態１の自動販売機における第１の冷却加温室を庫内凝縮器で加温し冷却専用室を冷却する冷却加温運転時で庫内弱冷蒸発器と庫外蒸発器に冷媒を流さない場合の冷媒流路を示す冷媒回路図である。
【０１２９】
図７は、本発明の実施の形態１の自動販売機における第１の冷却加温室を庫内凝縮器で加温し第２の冷却加温室と冷却専用室を冷却する冷却加温運転時で庫外蒸発器に冷媒を流し庫内弱冷蒸発器に冷媒を流さない場合の冷媒流路を示す冷媒回路図である。図８は、本発明の実施の形態１の自動販売機における第１の冷却加温室を庫内凝縮器で加温し冷却専用室を冷却する冷却加温運転時で庫外蒸発器に冷媒を流し庫内弱冷蒸発器に冷媒を流さない場合の冷媒流路を示す冷媒回路図である。図９は、本発明の実施の形態１の自動販売機における第１の冷却加温室を庫内凝縮器で加温する加温運転時で庫外蒸発器に冷媒を流し庫内弱冷蒸発器に冷媒を流さない場合の冷媒流路を示す冷媒回路図である。
【０１３０】
図１０は、本発明の実施の形態１の自動販売機における第１の冷却加温室を庫内凝縮器で加温する加温運転時で庫内弱冷蒸発器と庫外蒸発器に冷媒を流す場合の冷媒流路を示す冷媒回路図である。図１１は、本発明の実施の形態１の自動販売機における第１の冷却加温室を庫内凝縮器で加温する加温運転時で庫内弱冷蒸発器に冷媒を流し庫外蒸発器に冷媒を流さない場合の冷媒流路を示す冷媒回路図である。
【０１３１】
図１２は、本発明の実施の形態１の自動販売機における第１の冷却加温室を庫内凝縮器で加温し第２の冷却加温室を加温ヒータで加温し冷却専用室を冷却する冷却加温運転時で庫内弱冷蒸発器と庫外蒸発器に冷媒を流さない場合の冷媒流路を示す冷媒回路図である。
【０１３２】
図１３は、本発明の実施の形態１の自動販売機における第１の冷却加温室を庫内凝縮器で加温し第２の冷却加温室を加温ヒータで加温し冷却専用室を冷却する冷却加温運転時で庫外蒸発器に冷媒を流し庫内弱冷蒸発器に冷媒を流さない場合の冷媒流路を示す冷媒回路図である。図１４は、本発明の実施の形態１の自動販売機における第１の冷却加温室を庫内凝縮器で加温し第２の冷却加温室を加温ヒータで加温する加温運転時で庫外蒸発器に冷媒を流し庫内弱冷蒸発器に冷媒を流さない場合の冷媒流路を示す冷媒回路図である。
【０１３３】
図１５は、本発明の実施の形態１の自動販売機における第１の冷却加温室を庫内凝縮器で加温し第２の冷却加温室を加温ヒータで加温する加温運転時で庫内弱冷蒸発器と庫外蒸発器に冷媒を流す場合の冷媒流路を示す冷媒回路図である。図１６は、本発明の実施の形態１の自動販売機における第１の冷却加温室を庫内凝縮器で加温し第２の冷却加温室を加温ヒータで加温する加温運転時で庫内弱冷蒸発器に冷媒を流し庫外蒸発器に冷媒を流さない場合の冷媒流路を示す冷媒回路図である。
【０１３４】
図１７は、本発明の実施の形態１の自動販売機における第１の冷却加温室を加温ヒータで加温し第２の冷却加温室と冷却専用室を冷却する冷却加温運転時で庫内弱冷蒸発器と庫外蒸発器に冷媒を流さない場合の冷媒流路を示す冷媒回路図である。図１８は、本発明の実施の形態１の自動販売機における第１の冷却加温室を加温ヒータで加温し冷却専用室を冷却する冷却加温運転時で庫内弱冷蒸発器と庫外蒸発器に冷媒を流さない場合の冷媒流路を示す冷媒回路図である。
【０１３５】
図１に示すように、本実施の形態１の自動販売機は、商品を収納する商品収納庫１と商品収納庫１の下部に配置された機械室（図示せず）を有する。
【０１３６】
商品収納庫１は、庫内が、収納する商品を冷却もしくは加温する第１の冷却加温室２、収納する商品を冷却もしくは加温する第２の冷却加温室３、収納する商品を冷却する冷却専用室４に区画されている。また、それぞれの商品収納室内には商品収納棚（図示せず）が上部に吊り下げられており、商品が内部に収納されている。
【０１３７】
また、機械室には、圧縮機５と、圧縮機５から吐出された冷媒を凝縮させる庫外凝縮器４０と、庫外蒸発器４１と、庫外凝縮器４０が風上側で庫外蒸発器４１が風下側になるように庫外凝縮器４０と庫外蒸発器４１の近傍に位置して庫外凝縮器４０または庫外蒸発器４１の熱交換が促進されるように送風する庫外ファン２６が配置される。
【０１３８】
第１の冷却加温室２内には、庫外凝縮器４０で凝縮した冷媒を蒸発させて第１の冷却加温室２内の商品を冷却する庫内蒸発器４７と、圧縮機５から吐出された冷媒を凝縮させて第１の冷却加温室２内の商品を加温する庫内凝縮器４６と、庫内蒸発器４７と庫内凝縮器４６の近傍に配置され、庫内蒸発器４７または庫内凝縮器４６と熱交換した空気を第１の冷却加温室２内で循環させる庫内ファン２７と、庫内凝縮器４６とは別に必要に応じて第
１の冷却加温室２内の商品を加温する場合に通電されて発熱する加温ヒータ３０と、第１の冷却加温室２の室内温度を検出する温度センサー（図示せず）が配置される。
【０１３９】
第２の冷却加温室３内には、庫外凝縮器４０で凝縮（庫内凝縮器４６に冷媒が流れている場合は、庫内凝縮器４６と庫外凝縮器４０で凝縮）した冷媒を蒸発させて第２の冷却加温室３内の商品を冷却する庫内蒸発器９と、庫内蒸発器９の近傍に配置され、庫内蒸発器９と熱交換した空気を第２の冷却加温室３内で循環させる庫内ファン２８と、第２の冷却加温室３内の商品を加温する場合に通電されて発熱する加温ヒータ３１と、第２の冷却加温室３の室内温度を検出する温度センサー（図示せず）が配置される。
【０１４０】
冷却専用室４内には、庫外凝縮器４０で凝縮（庫内凝縮器４６に冷媒が流れている場合は、庫内凝縮器４６と庫外凝縮器４０で凝縮）した冷媒を蒸発させて冷却専用室４内の商品を冷却する庫内蒸発器１０と、庫外凝縮器４０で凝縮（庫内凝縮器４６に冷媒が流れている場合は、庫内凝縮器４６と庫外凝縮器４０で凝縮）した冷媒を蒸発させて冷却専用室４内の商品を庫内蒸発器１０よりも高い温度で冷却する庫内弱冷蒸発器５４と、庫内蒸発器１０と庫内弱冷蒸発器５４の近傍に配置され、庫内蒸発器１０または庫内弱冷蒸発器５４と熱交換した空気を冷却専用室４内で循環させる庫内ファン２９と、冷却専用室４の室内温度を検出する温度センサー（図示せず）が配置される。
【０１４１】
庫内蒸発器４７側と庫内蒸発器９，１０側に冷媒流路を分岐する分岐点と、庫内蒸発器４７との間の分岐流路には、第１の冷却加温室２の冷却が必要のため庫内蒸発器４７に冷媒を流す時は開放状態になっており、第１の冷却加温室２の冷却が不要のため庫内蒸発器４７に冷媒を流さない時は閉塞状態になっている分岐流路開閉手段としての電磁弁５１が設けられる。
【０１４２】
また、庫内蒸発器９側と庫内蒸発器１０側に冷媒流路を分岐する分岐点には、庫内蒸発器９方向への冷媒の流路と庫内蒸発器１０方向への冷媒の流路を切換えたり、両方の流路を同時に閉じたりすることが可能な分岐流路開閉手段としての三方弁４２が設けられる。
【０１４３】
電磁弁５１と庫内蒸発器４７との間の冷媒の流路には庫内蒸発器４７に流れる冷媒を減圧する膨張機構４３が設けられ、三方弁４２と庫内蒸発器９との間の冷媒の流路には庫内蒸発器９に流れる冷媒を減圧する膨張機構４４が設けられ、三方弁４２と庫内蒸発器１０との間の冷媒の流路には、三方弁４２から庫内蒸発器１０方向に流れる冷媒を減圧する膨張機構４５が設けられる。
【０１４４】
庫内蒸発器９の冷媒の出口側は、膨張機構４５と庫内蒸発器１０とを接続する冷媒の配管に接続されており、庫内蒸発器９から流出した冷媒が庫内蒸発器１０に流入するように構成されている。
【０１４５】
圧縮機５の吐出側の冷媒配管には、庫内凝縮器４６で第１の冷却加温室２内の商品を加温する時に圧縮機５から吐出された冷媒を庫内凝縮器４６を経由させてから庫外凝縮器４０に流し、第１の冷却加温室２内の商品を加温しない時に圧縮機５から吐出された冷媒を庫内凝縮器４６を経由させずに庫外凝縮器４０に流す庫内凝縮器用流路切替手段としての三方弁５７が設けられる。
【０１４６】
第１の冷却加温室２の庫内凝縮器４６の冷媒の出口側は、庫内凝縮器４６で凝縮した冷媒を減圧する膨張機構４８と逆止弁５８とを介して、三方弁５７と庫外凝縮器４０とを接続する冷媒配管に接続されている。
【０１４７】
この逆止弁５８は、庫内凝縮器４６から流出した冷媒が膨張機構４８で減圧されて逆止
弁５８を介して庫外凝縮器４０に流れるように配置される。言い換えると、圧縮機５から吐出された冷媒が庫内凝縮器４６に流れずに庫外凝縮器４０に流れる状態の三方弁５７から流出した冷媒が、逆止弁５８を通過しないように、逆止弁５８が配置される。
【０１４８】
また、機械室において、庫外蒸発器４１は、庫外凝縮器４０の冷媒の出口と、庫内蒸発器４７側と庫内蒸発器９，１０側に冷媒流路を分岐する分岐点との間の冷媒配管（庫外凝縮器４０の冷媒の出口側の冷媒配管）と圧縮機５の吸い込み側配管とをバイパスするバイパス流路に設けられる。
【０１４９】
庫外蒸発器４１の冷媒の入り口側（バイパス流路の冷媒の入り口側）にはバイパス流路を開閉するバイパス流路開閉手段としての電磁弁５２が設けられる。
【０１５０】
また、電磁弁５２と庫外蒸発器４１との間のバイパス流路には、庫内凝縮器４６と庫外凝縮器４０で凝縮してバイパス流路に流入した冷媒を減圧するバイパス流路膨張手段としての膨張機構５３が設けられる。
【０１５１】
バイパス流路開閉手段としての電磁弁５２は、圧縮機５から吐出された冷媒が庫内凝縮器４６を経由して庫外凝縮器４０に流れる場合にのみ開放される。
【０１５２】
庫内弱冷蒸発器５４の冷媒の入口側は、庫内弱冷蒸発器５４に冷媒流路を分岐する分岐点と庫内弱冷蒸発器５４との間の分岐流路を開閉する弱冷分岐流路開閉手段としての電磁弁５６と、電磁弁５６と庫内弱冷蒸発器５４との間の流路に配置されて庫内弱冷蒸発器５４に流入する冷媒によって庫内弱冷蒸発器５４の温度が冷却商品が凍結する温度以下にならないように冷媒を減圧する弱冷分岐流路膨張手段としての膨張機構５５とを介して、電磁弁５２よりも冷媒の上流側のバイパス流路に接続されている。
【０１５３】
なお、庫内弱冷蒸発器５４を流れる分岐流路の上流端は、電磁弁５２よりも冷媒の上流側のバイパス流路に接続せずに、庫外凝縮器４０よりも冷媒の下流側で三方弁４２よりも冷媒の上流側の冷媒流路に接続しても構わない。
【０１５４】
庫内弱冷蒸発器５４の冷媒の出口側は、庫内蒸発器４７の冷媒の出口側の分岐流路と庫内蒸発器１０の冷媒の出口側の分岐流路とが合流する合流点と圧縮機５の吸い込み側との間の冷媒配管に接続されている。
【０１５５】
庫内弱冷蒸発器５４から流出した冷媒と庫内蒸発器４７から流出した冷媒と庫内蒸発器１０から流出した冷媒は、気液分離器５９でガス冷媒と液冷媒とに分離されて、気液分離器５９で液冷媒と分離されたガス冷媒が圧縮機５に吸い込まれる。
【０１５６】
図面では、庫外蒸発器４１の冷媒の出口側（バイパス流路の下流端）が気液分離器５９よりも冷媒の下流側に接続されているが、庫外蒸発器４１の冷媒の出口側（バイパス流路の下流端）を気液分離器５９よりも冷媒の上流側に接続しても構わない。
【０１５７】
庫外凝縮器４０と庫外蒸発器４１は、それぞれ、互いに間隔をあけて平行に並べられた複数のフィンと、そのフィンの両側に配置されたエンドプレートとを配管が貫通する熱交換器であり、庫外凝縮器４０用のエンドプレートと庫外蒸発器４１用のエンドプレートとは繋がっているが、庫外凝縮器４０用の配管が貫通するフィンと庫外蒸発器４１用の配管が貫通するフィンとは繋がっていない。
【０１５８】
つまり、庫外凝縮器４０と庫外蒸発器４１は、フィンが別々でエンドプレートを共用するように一体化した２パスの熱交換器であり、庫外ファン２６が運転された場合に、庫外
凝縮器４０用の配管が風上側で、庫外蒸発器４１用の配管が風下側になるように配置される。
【０１５９】
また、庫外凝縮器４０用の配管と庫外蒸発器４１用の配管は、それぞれ、配管内を冷媒が概ね上から下に向かって流れるように構成される。
【０１６０】
ここで、一般的な自動販売機においては、第２の冷却加温室３が最も狭い部屋となる場合が多く、第２の冷却加温室３内に設置している庫内蒸発器９についても、第１の冷却加温室２内に設置している庫内蒸発器４７、冷却専用室４内に設置している庫内蒸発器９よりも小型となっている。
【０１６１】
そのために、庫内蒸発器９単独のみでの蒸発能力を確保するためには膨張機構４４を大きくして蒸発温度を大きく下げる必要があり、そうすれば圧縮機５の効率が低下し消費電力量が増大してしまう。
【０１６２】
そのため、庫内蒸発器９の冷媒の出口と庫内蒸発器１０の冷媒の入り口とを接続し、庫内蒸発器９と庫内蒸発器１０を一つの大きな蒸発器として取り扱えるようにすることにより、蒸発温度を高くして、効率を高めて消費電力量を低減できるようにしている。
【０１６３】
以上のように構成された本実施の形態の自動販売機について、以下、その動作を説明する。
【０１６４】
まず、第１の冷却加温室２のみ冷却する冷却運転の場合は、図２の太線の冷媒流路を矢印の向きに冷媒が流れる運転となる。
【０１６５】
第１の冷却加温室２のみ冷却する冷却運転の場合は、三方弁５７を、圧縮機５の吐出配管と庫外凝縮器４０とが連通する状態にするとともに、三方弁４２は庫内蒸発器９用の膨張機構４４への流路と庫内蒸発器１０用の膨張機構４５への流路を閉塞する状態にし、電磁弁５１を開放し、電磁弁５２と電磁弁５６を閉塞し、圧縮機５を起動する。圧縮機５の運転・停止にかかわらず常に電磁弁５０を開放する。
【０１６６】
圧縮機５から吐出された高温高圧のガス状の冷媒は、三方弁５７を通過して庫外凝縮器４０で冷却されて凝縮する。なお、庫外凝縮器４０に冷媒が流れている時には、庫外ファン２６が庫外凝縮器４０に送風している。庫外凝縮器４０で凝縮した冷媒は、電磁弁５１から膨張機構４３側に流れ、膨張機構４３にて減圧された後に庫内蒸発器４７で蒸発気化して第１の冷却加温室２を冷却する。
【０１６７】
なお、庫外凝縮器４０に冷媒が流れている時には、庫外ファン２６が庫外凝縮器４０に送風している。庫内蒸発器４７に冷媒が流れている時には、庫内ファン２７が庫内蒸発器４７に送風している。
【０１６８】
そして、庫内蒸発器４７から流出した冷媒は、気液分離器５９でガス冷媒と液冷媒とに分離されて、気液分離器５９で液冷媒と分離されたガス冷媒が圧縮機５に吸い込まれる。
【０１６９】
第１の冷却加温室２が冷却温度範囲の下限値となる所定温度まで冷却されると、電磁弁５１を閉塞すると共に圧縮機５と庫内ファン２７を停止し、圧縮機５の停止中に第１の冷却加温室２内の温度が冷却温度範囲の上限値となる所定温度まで上昇すれば、電磁弁５１を開放すると共に圧縮機５を起動し庫内ファン２７を運転する。
【０１７０】
そして、圧縮機５を停止した時は、冷媒回路の高低圧をバランスさせるために、三方弁
４２を開放して、庫内凝縮器４６の冷媒の出口と圧縮機５の吸い込み側（吸入側）配管とを連通させる。
【０１７１】
電磁弁５０を常時開放することによって、圧縮機５の停止中に冷却運転で使用しない庫内凝縮器４６へと余剰な冷媒を貯留する事ができるので、冷却運転中における冷媒量過多を防止することが可能となる。また、圧縮機５が停止するたびに毎回、電磁弁５０を開放することで、三方弁５７で冷媒が漏れることによって庫内凝縮器４６へと冷媒が貯留され続けて冷媒不足状態に陥ることを防ぐことができる。
【０１７２】
なお、第１の冷却加温室２を加温運転から冷却運転に切換えた時や高外気温度でのイニシャルプルダウン時など、庫内の温度が高く、大きな冷凍能力を必要とする場合においては、圧縮機５の運転・停止にかかわらず常に電磁弁５０を開放して、庫内凝縮器４６の冷媒の出口と圧縮機５の吸い込み側（吸入側）配管とを連通すれば、全冷媒を冷却運転に利用できるので、大きな冷凍能力を得る事ができ、プルダウン時間を短縮することが可能となる。
【０１７３】
次に、第２の冷却加温室３と冷却専用室４を冷却する冷却運転の場合は、図３の太線の冷媒流路を矢印の向きに冷媒が流れる運転となる。
【０１７４】
第２の冷却加温室３と冷却専用室４を冷却する冷却運転の場合は、三方弁５７を、圧縮機５の吐出配管と庫外凝縮器４０とが連通する状態にするとともに、三方弁４２は庫内蒸発器９用の膨張機構４４への流路を開放し庫内蒸発器１０用の膨張機構４５への流路を閉塞する状態にし、電磁弁５１と電磁弁５２と電磁弁５６を閉塞し、圧縮機５を起動する。圧縮機５の運転・停止にかかわらず常に電磁弁５０を開放する。
【０１７５】
圧縮機５から吐出された高温高圧のガス状の冷媒は、三方弁５７を通過して庫外凝縮器４０で冷却されて凝縮する。なお、庫外凝縮器４０に冷媒が流れている時には、庫外ファン２６が庫外凝縮器４０に送風している。庫外凝縮器４０で凝縮した冷媒は、三方弁４２から膨張機構４４側に流れ、膨張機構４４にて減圧された後に庫内蒸発器９で蒸発気化して第２の冷却加温室３を冷却する。なお、庫内蒸発器９に冷媒が流れている時には、庫内ファン２８が庫内蒸発器９に送風している。
【０１７６】
また、庫内蒸発器９で蒸発できなかった余剰な液冷媒は、庫内蒸発器９と直列に接続された庫内蒸発器１０で蒸発して冷却専用室４も冷却する（直列冷却運転）。なお、庫内蒸発器１０に冷媒が流れている時には、庫内ファン２９が庫内蒸発器１０に送風している。
【０１７７】
その後、第２の冷却加温室３の温度が目標温度（冷却温度範囲の下限値）に達した時点で、三方弁４２から膨張機構４５へと冷媒が流れるように三方弁４２を切り換えて、図４の太線の冷媒流路を矢印の向きに冷媒が流れる運転にすることで、庫内蒸発器９と庫内蒸発器１０のうち庫内蒸発器１０のみの単独冷却を行う（下流側単独冷却運転）。
【０１７８】
このように優先的に直列冷却運転を行うことで、余剰液冷媒によって冷却専用室４も冷却されることから下流側単独冷却運転の運転率を低下することができ、消費電力量を低減することができる。
【０１７９】
そして、庫内蒸発器１０から流出した冷媒は、気液分離器５９でガス冷媒と液冷媒とに分離されて、気液分離器５９で液冷媒と分離されたガス冷媒が圧縮機５に吸い込まれる。
【０１８０】
そして、制御手段（図示せず）が、第２の冷却加温室３と冷却専用室４の各室内の温度が予め設定された冷却温度範囲内を維持するように、三方弁４２の切換え、圧縮機５と庫
外ファン２６と庫内ファン２８，２９の運転を制御している。
【０１８１】
また、第２の冷却加温室３が冷却温度範囲の下限値となる所定温度まで冷却されると、膨張機構４４への流路を閉塞し膨張機構４５への流路を開放する状態に三方弁４２を切換えて、庫内ファン２８を停止する。また、圧縮機５の停止中に第２の冷却加温室３内の温度が冷却温度範囲の上限値となる所定温度まで上昇すれば、膨張機構４４への流路を開放し膨張機構４５への流路を閉鎖する状態に三方弁４２を切換えて、圧縮機５を起動し、庫内ファン２８を運転する。
【０１８２】
また、三方弁４２が膨張機構４４への流路を閉塞し膨張機構４５への流路を開放して、庫内蒸発器９と庫内蒸発器１０のうち庫内蒸発器１０のみの単独冷却（下流側単独冷却運転）をしている状態で、第２の冷却加温室３内の温度が冷却温度範囲の上限値となる所定温度まで上昇すれば、膨張機構４４への流路を開放し膨張機構４５への流路を閉塞する状態に三方弁４２を切り換えて、庫内ファン２８を運転する。
【０１８３】
また、庫内蒸発器９と庫内蒸発器１０の直列冷却運転から庫内蒸発器１０のみの下流側単独冷却運転への移行後に、冷却専用室４が冷却温度範囲の下限値となる所定温度まで冷却されると、三方弁４２の膨張機構４５側の冷媒の出口の閉塞と庫内ファン２９の停止に加え、圧縮機５も停止する。
【０１８４】
また、圧縮機５の停止中に冷却専用室４内の温度が冷却温度範囲の上限値となる所定温度まで上昇すれば、膨張機構４４への流路を開放し膨張機構４５への流路を閉塞する状態に三方弁４２を切り換えて、圧縮機５を起動し、庫内ファン２９を運転する。
【０１８５】
なお、圧縮機５の起動時には、予め、三方弁４２は膨張機構４４への流路を開放し膨張機構４５への流路を閉塞する状態にし、電磁弁５１と電磁弁５２と電磁弁５６とを閉塞する。
【０１８６】
そして、圧縮機５を停止した時は、冷媒回路の高低圧をバランスさせるために、三方弁４２の膨張機構４４側の冷媒の出口または膨張機構４５側の冷媒の出口を開放して、庫内凝縮器４６の冷媒の出口と圧縮機５の吸い込み側（吸入側）配管とを連通させる。
【０１８７】
そして、冷媒回路の高低圧がバランスした後に、三方弁４２の膨張機構４４側の冷媒の出口または膨張機構４５側の冷媒の出口を閉塞する。
【０１８８】
このことによって、圧縮機５の停止中に冷却運転で使用しない庫内凝縮器４６へと余剰な冷媒を貯留する事ができるので、冷却運転中における冷媒量過多を防止することが可能となる。また、三方弁５７で冷媒が漏れることによって庫内凝縮器４６へと冷媒が貯留され続けて冷媒不足状態に陥ることを防ぐことができる。
【０１８９】
なお、第２の冷却加温室３を加温ヒータ３１による加温運転から冷却運転に切換えた時や高外気温度でのイニシャルプルダウン時など、庫内の温度が高く、大きな冷凍能力を必要とする場合においては、圧縮機５の運転・停止にかかわらず常に電磁弁５０を開放して、庫内凝縮器４６の冷媒の出口と圧縮機５の吸い込み側（吸入側）配管とを連通すれば、全冷媒を冷却運転に利用できるので、大きな冷凍能力を得る事ができ、プルダウン時間を短縮することが可能となる。
【０１９０】
次に、冷却専用室４のみ冷却する冷却運転の場合は、図４の太線の冷媒流路を矢印の向きに冷媒が流れる運転となる。
【０１９１】
冷却専用室４のみ冷却する冷却運転の場合は、三方弁５７を、圧縮機５の吐出配管と庫外凝縮器４０とが連通する状態にするとともに、三方弁４２は庫内蒸発器９用の膨張機構４４への流路を閉塞し庫内蒸発器１０用の膨張機構４５への流路を開放する状態にし、電磁弁５１と電磁弁５２と電磁弁５６を閉塞し、圧縮機５を起動する。圧縮機５の運転・停止にかかわらず常に電磁弁５０を開放する。
【０１９２】
圧縮機５から吐出された高温高圧のガス状の冷媒は、三方弁５７を通過して庫外凝縮器４０で冷却されて凝縮する。なお、庫外凝縮器４０に冷媒が流れている時には、庫外ファン２６が庫外凝縮器４０に送風している。庫外凝縮器４０で凝縮した冷媒は、三方弁４２から膨張機構４５側に流れ、膨張機構４５にて減圧された後に庫内蒸発器１０で蒸発気化して冷却専用室４を冷却する。なお、庫内蒸発器１０に冷媒が流れている時には、庫内ファン２９が庫内蒸発器１０に送風している。
【０１９３】
そして、庫内蒸発器１０から流出した冷媒は、気液分離器５９でガス冷媒と液冷媒とに分離されて、気液分離器５９で液冷媒と分離されたガス冷媒が圧縮機５に吸い込まれる。
【０１９４】
そして、冷却専用室４が冷却温度範囲の下限値となる所定温度まで冷却されると、三方弁４２の膨張機構４５側の冷媒の出口の閉塞と庫内ファン２９の停止に加え、圧縮機５も停止する。
【０１９５】
また、圧縮機５の停止中に冷却専用室４内の温度が冷却温度範囲の上限値となる所定温度まで上昇すれば、膨張機構４５への流路を開放する状態に三方弁４２を切り換えて、圧縮機５を起動し、庫内ファン２９を運転する。
【０１９６】
なお、圧縮機５の起動時には、予め、電磁弁５１と電磁弁５２と電磁弁５６とを閉塞している。
【０１９７】
そして、圧縮機５を停止した時は、冷媒回路の高低圧をバランスさせるために、三方弁４２の膨張機構４５側の冷媒の出口を開放して、庫内凝縮器４６の冷媒の出口と圧縮機５の吸い込み側（吸入側）配管とを連通させる。
【０１９８】
そして、冷媒回路の高低圧がバランスした後に、三方弁４２の膨張機構４５側の冷媒の出口を閉塞する。
【０１９９】
このことによって、圧縮機５の停止中に冷却運転で使用しない庫内凝縮器４６へと余剰な冷媒を貯留する事ができるので、冷却運転中における冷媒量過多を防止することが可能となる。また、三方弁５７で冷媒が漏れることによって庫内凝縮器４６へと冷媒が貯留され続けて冷媒不足状態に陥ることを防ぐことができる。
【０２００】
なお、高外気温度でのイニシャルプルダウン時など、庫内の温度が高く、大きな冷凍能力を必要とする場合においては、圧縮機５の運転・停止にかかわらず常に電磁弁５０を開放して、庫内凝縮器４６の冷媒の出口と圧縮機５の吸い込み側（吸入側）配管とを連通すれば、全冷媒を冷却運転に利用できるので、大きな冷凍能力を得る事ができ、プルダウン時間を短縮することが可能となる。
【０２０１】
次に、第１の冷却加温室２を庫内凝縮器４６で加温し、第２の冷却加温室３と冷却専用室４を冷却する冷却加温運転の場合は、図５の太線の冷媒流路を矢印の向きに冷媒が流れる運転となる。
【０２０２】
第１の冷却加温室２を庫内凝縮器４６で加温し、第２の冷却加温室３と冷却専用室４を
冷却する冷却加温運転の場合は、三方弁５７を、圧縮機５の吐出配管と庫内凝縮器４６の冷媒の入口とが連通する状態にするとともに、三方弁４２は膨張機構４４への流路を開放し膨張機構４５への流路を閉塞する状態にし、電磁弁５１と電磁弁５２と電磁弁５６を閉塞し、圧縮機５を起動する。
【０２０３】
圧縮機５から吐出された高温高圧のガス状の冷媒は、三方弁５７を通過した後に庫内凝縮器４６へと向かい、庫内凝縮器４６にて一部凝縮し、その際に庫内凝縮器４６の周囲の空気へと放熱することで第１の冷却加温室２内を加温する。なお、庫内凝縮器４６に冷媒が流れている時には、庫内ファン２７が庫内凝縮器４６に送風している。
【０２０４】
そして、庫内凝縮器４６を出た冷媒は膨張機構４８にて減圧された後に逆止弁５８を通過して庫外凝縮器４０にてさらに凝縮する。なお、庫外凝縮器４０に冷媒が流れている時には、庫外ファン２６が庫外凝縮器４０に送風している。
【０２０５】
庫外凝縮器４０から流出した冷媒は、電磁弁５１と電磁弁５２と電磁弁５６が閉塞されているため、全て、三方弁４２側に流れる。
【０２０６】
そして、三方弁４２から膨張機構４４側に流れた液状の冷媒は、膨張機構４４にて減圧された後に庫内蒸発器９で蒸発気化して第２の冷却加温室３を冷却する。なお、庫内蒸発器９に冷媒が流れている時には、庫内ファン２８が庫内蒸発器９に送風している。
【０２０７】
庫内蒸発器９で蒸発できなかった余剰な液冷媒は、庫内蒸発器９と直列に接続された庫内蒸発器１０で蒸発して冷却専用室４も冷却する（直列冷却運転）。なお、庫内蒸発器１０に冷媒が流れている時には、庫内ファン２９が庫内蒸発器１０に送風している。
【０２０８】
その後、第２の冷却加温室３の温度が目標温度（冷却温度範囲の下限値）に達した時点で膨張機構４５へと冷媒が流入するように三方弁４２を切り換えることで、庫内蒸発器９と庫内蒸発器１０のうち庫内蒸発器１０のみの単独冷却を行う（下流側単独冷却運転）。
【０２０９】
このように優先的に直列冷却運転を行うことで、余剰液冷媒によって冷却専用室４も冷却されることから下流側単独冷却運転の運転率を低下することができ、消費電力量を低減することができる。
【０２１０】
そして、庫内蒸発器１０から流出した冷媒は、気液分離器５９でガス冷媒と液冷媒とに分離されて、気液分離器５９で液冷媒と分離されたガス冷媒が圧縮機５に吸い込まれる。
【０２１１】
そして、制御手段（図示せず）が、第１の冷却加温室２の室内温度が予め設定された加温温度範囲内を維持し、第２の冷却加温室３と冷却専用室４の各室内の温度が予め設定された冷却温度範囲内を維持するように、三方弁５７と三方弁４２の切換え、及び圧縮機５と庫外ファン２６と庫内ファン２７，２８，２９の運転を制御している。
【０２１２】
例えば、第１の冷却加温室２が加温温度範囲の上限値となる所定温度まで加温された時に、三方弁４２のどちらかの冷媒の出口が開放状態（庫内蒸発器９と庫内蒸発器１０で第２の冷却加温室３と冷却専用室４の両方の商品収納室を冷却する直列冷却運転中、または庫内蒸発器９と庫内蒸発器１０のうち庫内蒸発器１０のみの単独冷却で冷却専用室４を冷却する下流側単独冷却運転中）であれば、庫内ファン２７を停止する。または、図３または図４のように、三方弁５７を、圧縮機５の吐出配管と庫外凝縮器４０とが連通する状態にすると共に、庫内ファン２７を停止する。
【０２１３】
三方弁５７を切り換えずに庫内ファン２７を停止した後に、第１の冷却加温室２の温度
が加温温度範囲の下限値となる所定温度まで低下すれば、庫内ファン２７を運転する。
【０２１４】
図３または図４のように、庫内凝縮器４６に圧縮機５からの冷媒が流れないように三方弁５７を切り換えた後に、第１の冷却加温室２の温度が加温温度範囲の下限値となる所定温度まで低下すれば、図５のように、再び三方弁５７を、圧縮機５の吐出配管と庫内凝縮器４６の冷媒の入口とが連通する状態に戻すと共に、庫内ファン２７を運転する。
【０２１５】
また、図５に示す、第１の冷却加温室２を庫内凝縮器４６で加温し、第２の冷却加温室３と冷却専用室４を冷却する冷却加温運転をしている時に、第２の冷却加温室３が冷却温度範囲の下限値となる所定温度まで冷却されると、図６のように、膨張機構４４への流路を閉塞し膨張機構４５への流路を開放する状態に三方弁４２を切換えると共に、庫内ファン２８を停止する。
【０２１６】
また、図６の状態で、冷却専用室４が冷却温度範囲の下限値となる所定温度まで冷却されたことにより圧縮機５を停止し、圧縮機５の停止中に第２の冷却加温室３内の温度が冷却温度範囲の上限値となる所定温度まで上昇した場合は、図５のように、膨張機構４４への流路を開放し膨張機構４５への流路を閉鎖する状態に三方弁４２を切換えて、圧縮機５を起動し、庫内ファン２８を運転する。
【０２１７】
また、図６のように、三方弁４２が膨張機構４４への流路を閉塞し膨張機構４５への流路を開放して、庫内蒸発器９と庫内蒸発器１０のうち庫内蒸発器１０のみの単独冷却（下流側単独冷却運転）をしている状態で、第２の冷却加温室３内の温度が冷却温度範囲の上限値となる所定温度まで上昇すれば、図５のように、膨張機構４４への流路を開放し膨張機構４５への流路を閉塞する状態に三方弁４２を切り換えると共に、庫内ファン２８を運転する。
【０２１８】
また、図６のように、庫内蒸発器９と庫内蒸発器１０の直列冷却運転から庫内蒸発器１０のみの下流側単独冷却運転への移行後に、第１の冷却加温室２内の温度が加温温度範囲の上限値となる所定温度まで上昇すれば、図４のように、三方弁５７が、圧縮機５の吐出配管と庫外凝縮器４０とが連通する状態（庫内凝縮器４６に圧縮機５から吐出された冷媒が流れない状態）になると共に、庫内ファン２７が停止し、さらに、冷却専用室４が冷却温度範囲の下限値となる所定温度まで冷却された場合は、三方弁４２の膨張機構４５側の冷媒の出口の閉塞と庫内ファン２９の停止に加え、圧縮機５を停止する。
【０２１９】
また、図５の状態から図６のように、庫内蒸発器９と庫内蒸発器１０の直列冷却運転から庫内蒸発器１０のみの下流側単独冷却運転への移行後に、冷却専用室４が冷却温度範囲の下限値となる所定温度まで冷却された場合は、三方弁４２の膨張機構４５側の冷媒の出口の閉塞と庫内ファン２９の停止に加え、バイパス流路の電磁弁５２と電磁弁５６のどちらか一方または両方を開放して、図９〜図１１のいずれかに示す状態にして、庫外蒸発器４１と庫内弱冷蒸発器５４のどちらか一方または両方で吸熱することにより、庫内凝縮器４６による第１の冷却加温室２の加温を継続する。
【０２２０】
このとき、電磁弁５２と電磁弁５６の両方を開放して、図１０に示す、庫外蒸発器４１と庫内弱冷蒸発器５４の両方で吸熱する状態にした場合は、電磁弁５２と電磁弁５６の片方のみを開放して庫外蒸発器４１と庫内弱冷蒸発器５４のどちらか一方で吸熱する図９または図１１に示す状態にした場合よりも、庫内凝縮器４６による第１の冷却加温室２の加温能力が高くなる。
【０２２１】
なお、第１の冷却加温室２を庫内凝縮器４６で加温し、第２の冷却加温室３と冷却専用室４を冷却する冷却加温運転する時に、バイパス流路の電磁弁５２を開放して図７に示す
庫外蒸発器４１で吸熱する状態にすると、バイパス流路の電磁弁５２を開放せずに図５に示す状態にした場合よりも、庫外蒸発器４１で吸熱する分、庫内凝縮器４６による第１の冷却加温室２の加温能力が高くなる。
【０２２２】
また、第１の冷却加温室２を庫内凝縮器４６で加温し、第２の冷却加温室３と冷却専用室４のうち冷却専用室４だけを冷却する冷却加温運転する時に、バイパス流路の電磁弁５２を開放して図８に示す庫外蒸発器４１で吸熱する状態にすると、バイパス流路の電磁弁５２を開放せずに図６に示す状態にした場合よりも、庫外蒸発器４１で吸熱する分、庫内凝縮器４６による第１の冷却加温室２の加温能力が高くなる。
【０２２３】
なお、第１の冷却加温室２を庫内凝縮器４６で加温し、第２の冷却加温室３と冷却専用室４を冷却する冷却加温運転を開始する場合において、第１の冷却加温室２の庫内温度が所定の庫内上限温度（加熱終了温度）に達するまで、または、圧縮機５の吐出圧力が所定の圧縮機過負荷圧力に達するまでは、バイパス流路の電磁弁５２を開放して図７の太線の冷媒流路を矢印の向きに冷媒が流れるようにして冷却加温運転を開始しても構わない。
【０２２４】
その場合は、圧縮機５の吐出圧力が所定の圧縮機過負荷圧力に達した場合は、バイパス流路の電磁弁５２を閉塞して、冷媒が、図５の太線の冷媒流路を矢印の向きに流れるようにする。
【０２２５】
バイパス流路の電磁弁５２を開放して図７の太線の冷媒流路を矢印の向きに冷媒が流れるようにして冷却加温運転を開始して、圧縮機５の吐出圧力が所定の圧縮機過負荷圧力に達したことにより、バイパス流路の電磁弁５２を閉塞して図５の太線の冷媒流路を矢印の向きに流れるようにした後、圧縮機５の吐出圧力が圧縮機過負荷圧力より低い所定の圧縮機通常圧力（再開放圧力）に低下すれば、バイパス流路の電磁弁５２を開放して、再び、冷媒が、図７の太線の冷媒流路を矢印の向きに流れるようにする。
【０２２６】
詳細に説明すると、第１の冷却加温室２を加温し、第２の冷却加温室３と冷却専用室４を冷却する冷却加温運転を開始する場合は、図７に示すように、三方弁５７を、圧縮機５の吐出配管と庫内凝縮器４６の冷媒の入口とが連通する状態にするとともに、三方弁４２は膨張機構４４への流路を開放し膨張機構４５への流路を閉塞する状態にし、電磁弁５１と電磁弁５６を閉塞し、電磁弁５２を開放し、圧縮機５を起動する。
【０２２７】
圧縮機５から吐出された高温高圧のガス状の冷媒は、三方弁５７を通過した後に庫内凝縮器４６へと向かい、庫内凝縮器４６にて一部凝縮し、その際に庫内凝縮器４６の周囲の空気へと放熱することで第１の冷却加温室２内を加温する。なお、庫内凝縮器４６に冷媒が流れている時には、庫内ファン２７が庫内凝縮器４６に送風している。
【０２２８】
そして、庫内凝縮器４６を出た冷媒は膨張機構４８にて減圧された後に逆止弁５８を通過して庫外凝縮器４０にて更に凝縮する。なお、庫外凝縮器４０に冷媒が流れている時には、庫外ファン２６が庫外凝縮器４０に送風している。
【０２２９】
庫外凝縮器４０から流出した冷媒は、三方弁４２から庫内蒸発器９用の膨張機構４４側に流れるものと、バイパス流路に分岐して電磁弁５２から膨張機構５３側に流れるものとに分かれる。
【０２３０】
三方弁４２から庫内蒸発器９用の膨張機構４４側に流れた冷媒は、膨張機構４４にて減圧された後に庫内蒸発器９で蒸発気化して第２の冷却加温室３を冷却する。なお、庫内蒸発器９に冷媒が流れている時には、庫内ファン２８が庫内蒸発器９に送風している。
【０２３１】
庫内蒸発器９で蒸発できなかった余剰な液冷媒は、庫内蒸発器９と直列に接続された庫内蒸発器１０で蒸発して冷却専用室４も冷却する（直列冷却運転）。なお、庫内蒸発器１０に冷媒が流れている時には、庫内ファン２９が庫内蒸発器１０に送風している。
【０２３２】
その後、第２の冷却加温室３の温度が目標温度（冷却温度範囲の下限値）に達した時点で庫内蒸発器１０用の膨張機構４５へと冷媒が流入するように三方弁４２を切り換えることで、図８に示すように、庫内蒸発器９と庫内蒸発器１０のうち庫内蒸発器１０のみの単独冷却を行う（下流側単独冷却運転）。
【０２３３】
このように優先的に直列冷却運転を行うことで、余剰液冷媒によって冷却専用室４も冷却されることから下流側単独冷却運転の運転率を低下することができ、消費電力量を低減することができる。
【０２３４】
一方、バイパス流路に分岐して電磁弁５２から膨張機構５３側に流れた冷媒は、膨張機構５３にて減圧された後に庫外蒸発器４１で蒸発気化する。
【０２３５】
そして、庫内蒸発器１０から流出したガス状の冷媒と、庫外蒸発器４１から流出したガス状の冷媒とが合流して、圧縮機５に戻る。
【０２３６】
その後、もし、圧縮機５の吐出圧力が所定の圧縮機過負荷圧力に達した場合は、バイパス流路の電磁弁５２を閉塞する。
【０２３７】
ここで、圧縮機５の吐出圧力検知手段としては、吐出配管上に設けて直接冷媒の圧力を測定する圧力センサ、吐出配管上に設けたサーミスタなどが挙げられる。
【０２３８】
ただし、圧縮機５の吐出圧力は凝縮温度の形で熱交換器近傍の配管温度にて近似することが可能であり、また、凝縮温度のように温度が高い状態においては圧力損失による温度変化が非常に小さい（１〜２℃程度）ことから、庫内凝縮器４６近傍の配管上の温度をサーミスタなどにより検知を行うことで低コストでの実現が可能となる。
【０２３９】
バイパス流路の電磁弁５２が閉塞している時は、図５の太線の冷媒流路を矢印の向きに冷媒が流れる。
【０２４０】
圧縮機５から吐出された高温高圧のガス状の冷媒は、三方弁５７を通過した後に庫内凝縮器４６へと向かい、庫内凝縮器４６にて一部凝縮し、その際に庫内凝縮器４６の周囲の空気へと放熱することで第１の冷却加温室２内を加温する。なお、庫内凝縮器４６に冷媒が流れている時には、庫内ファン２７が庫内凝縮器４６に送風している。
【０２４１】
そして、庫内凝縮器４６を出た冷媒は膨張機構４８にて減圧された後に逆止弁５８を通過して庫外凝縮器４０にて更に凝縮する。なお、庫外凝縮器４０に冷媒が流れている時には、庫外ファン２６が庫外凝縮器４０に送風している。
【０２４２】
庫外凝縮器４０から流出した冷媒は、バイパス流路の電磁弁５２が閉塞しているため、全て、三方弁４２から庫内蒸発器９用の膨張機構４４側に流れ、膨張機構４４にて減圧された後に庫内蒸発器９で蒸発気化して第２の冷却加温室３を冷却する。なお、庫内蒸発器９に冷媒が流れている時には、庫内ファン２８が庫内蒸発器９に送風している。
【０２４３】
庫内蒸発器９で蒸発できなかった余剰な液冷媒は、庫内蒸発器９と直列に接続された庫内蒸発器１０で蒸発して冷却専用室４も冷却する（直列冷却運転）。なお、庫内蒸発器１０に冷媒が流れている時には、庫内ファン２９が庫内蒸発器１０に送風している。
【０２４４】
その後、第２の冷却加温室３の温度が目標温度（冷却温度範囲の下限値）に達した時点で庫内蒸発器１０用の膨張機構４５へと冷媒が流入するように三方弁４２を切り換えることで、図６に示すように庫内蒸発器９と庫内蒸発器１０のうち庫内蒸発器１０のみの単独冷却を行う（下流側単独冷却運転）。
【０２４５】
このように優先的に直列冷却運転を行うことで、余剰液冷媒によって冷却専用室４も冷却されることから下流側単独冷却運転の運転率を低下することができ、消費電力量を低減することができる。
【０２４６】
そして、庫内蒸発器１０から流出したガス状の冷媒は、圧縮機５に戻る。
【０２４７】
バイパス流路の電磁弁５２を閉塞した後、圧縮機５の吐出圧力が圧縮機過負荷圧力より低い所定の圧縮機通常圧力（再開放圧力）に低下すれば、閉塞していたバイパス流路の電磁弁５２を開放して、冷媒が図７の太線の冷媒流路を矢印の向きに流れるようにする。
【０２４８】
バイパス流路の電磁弁５２を開放している場合は、電磁弁５２を閉塞している場合よりも庫内凝縮器４６の加温能力を高めることができる。
【０２４９】
バイパス流路の電磁弁５２を開放すると、バイパス流路に冷媒が流れるため冷媒の流路抵抗が減り、冷媒の循環量が増え、庫内蒸発器９，１０の蒸発温度が上昇し、庫内凝縮器４６の凝縮温度が上昇する。よって、第１の冷却加温室２の庫内凝縮器４６による加温能力が高まり、加温ヒータ３０より効率のよいヒートポンプ加温（冷却加温システムによる加温）にて加温させることができる。
【０２５０】
そして、制御手段（図示せず）が、第１の冷却加温室２の室内温度が予め設定された加温温度範囲内を維持し、第２の冷却加温室３と冷却専用室４の各室内の温度が予め設定された冷却温度範囲内を維持するように、三方弁５７と三方弁４２の切換え、及び圧縮機５と庫外ファン２６と庫内ファン２７，２８，２９の運転を制御している。
【０２５１】
例えば、第１の冷却加温室２が加温温度範囲の上限値となる所定温度（加熱終了温度）まで加温された時に、三方弁４２の庫内蒸発器９用の膨張機構４４への流路（出口）と庫内蒸発器１０用の膨張機構４５への流路（出口）のどちらかが開放状態（庫内蒸発器９と庫内蒸発器１０で第２の冷却加温室３と冷却専用室４の両方の商品収納室を冷却する直列冷却運転中、または庫内蒸発器９と庫内蒸発器１０のうち庫内蒸発器１０のみの単独冷却で冷却専用室４を冷却する下流側単独冷却運転中）であれば、バイパス流路の電磁弁５２を閉塞すると共に庫内ファン２７を停止する。
【０２５２】
または、電磁弁５２の閉塞と庫内ファン２７の停止に加えて、図３に示すように、三方弁５７を、圧縮機５の吐出配管と庫外凝縮器４０とが連通する状態にする。
【０２５３】
ここで、バイパス流路の電磁弁５２を閉塞すると共に庫内ファン２７を停止するが、三方弁５７を、圧縮機５の吐出配管と庫外凝縮器４０とが連通する状態にしない場合は、バイパス流路の電磁弁５２の閉塞により、第１の冷却加温室２の庫内凝縮器４６による加温能力を低下させ、庫内ファン２７の停止により、第１の冷却加温室２内の空気と庫内凝縮器４６との熱交換量が低下する。
【０２５４】
この場合、圧縮機５から吐出された高温高圧のガス状の冷媒の大半が、庫内凝縮器４６で凝縮できず、庫外凝縮器４０にて凝縮される。庫外凝縮器４０にて充分に凝縮させる必要がある場合は、庫外ファン２６の送風量を増やすことにより、庫外凝縮器４０と外気と
の熱交換量を増加させる。
【０２５５】
そして、バイパス流路の電磁弁５２を閉塞すると共に庫内ファン２７を停止した後に、第１の冷却加温室２の温度が加温温度範囲の下限値となる所定温度まで低下すれば、再び電磁弁５２を開放すると共に、庫内ファン２７を運転する。
【０２５６】
もし、図３に示すように、庫内凝縮器４６に圧縮機５からの冷媒が流れないように三方弁５７を切り換えた後に、第１の冷却加温室２の温度が加温温度範囲の下限値となる所定温度まで低下すれば、電磁弁５２の開放と庫内ファン２７の運転に加えて、再び三方弁５７を、圧縮機５の吐出配管と庫内凝縮器４６の冷媒の入口とが連通する状態（図７に示す状態）に戻す。
【０２５７】
また、図３に示す状態において、第２の冷却加温室３が冷却温度範囲の下限値となる所定温度まで冷却されると、図４に示すように、庫内蒸発器９用の膨張機構４４への流路（出口）を閉塞し庫内蒸発器１０用の膨張機構４５への流路（出口）を開放する状態に三方弁４２を切換えると共に、庫内ファン２８を停止する。また、圧縮機５の停止中に第２の冷却加温室３内の温度が冷却温度範囲の上限値となる所定温度まで上昇すれば、庫内蒸発器９用の膨張機構４４への流路（出口）を開放し膨張機構４５への流路（出口）を閉鎖する状態に三方弁４２を切換えて、バイパス流路の電磁弁５２を閉塞して、圧縮機５を起動し、庫内ファン２８を運転する。
【０２５８】
また、図４に示すように、三方弁４２が庫内蒸発器９用の膨張機構４４への流路（出口）を閉塞し庫内蒸発器１０用の膨張機構４５への流路（出口）を開放して、庫内蒸発器９と庫内蒸発器１０のうち庫内蒸発器１０のみの単独冷却（下流側単独冷却運転）をしている状態で、第２の冷却加温室３内の温度が冷却温度範囲の上限値となる所定温度まで上昇すれば、図３に示すように庫内蒸発器９用の膨張機構４４への流路（出口）を開放し庫内蒸発器１０用の膨張機構４５への流路（出口）を閉塞する状態に三方弁４２を切り換えると共に、庫内ファン２８を運転する。
【０２５９】
また、図４に示すように、庫内蒸発器９と庫内蒸発器１０の直列冷却運転から庫内蒸発器１０のみの下流側単独冷却運転への移行後に、冷却専用室４が冷却温度範囲の下限値となる所定温度まで冷却されると、三方弁４２の庫内蒸発器１０用の膨張機構４５側の冷媒の出口の閉塞と庫内ファン２９の停止に加え、圧縮機５を停止する。
【０２６０】
また、図６に示すように、庫内蒸発器９と庫内蒸発器１０の直列冷却運転から庫内蒸発器１０のみの下流側単独冷却運転への移行後に、冷却専用室４が冷却温度範囲の下限値となる所定温度まで冷却された時に、三方弁５７が、圧縮機５の吐出配管と庫内凝縮器４６の冷媒の入口とが連通する状態（第１の冷却加温室２の加温が必要で、庫内凝縮器４６に圧縮機５から吐出された冷媒が流れている状態）であれば、三方弁４２の庫内蒸発器１０用の膨張機構４５側の冷媒の出口の閉塞と庫内ファン２９の停止に加え、バイパス流路の電磁弁５２と電磁弁５６のどちらか一方または両方を開放して、図９〜図１１のいずれかに示す状態にして、庫外蒸発器４１と庫内弱冷蒸発器５４のどちらか一方または両方で吸熱することにより、庫内凝縮器４６による第１の冷却加温室２の加温を継続する。
【０２６１】
このとき、電磁弁５２と電磁弁５６の両方を開放して、図１０に示す、庫外蒸発器４１と庫内弱冷蒸発器５４の両方で吸熱する状態にした場合は、電磁弁５２と電磁弁５６の片方のみを開放して庫外蒸発器４１と庫内弱冷蒸発器５４のどちらか一方で吸熱する図９または図１１に示す状態にした場合よりも、庫内凝縮器４６による第１の冷却加温室２の加温能力が高くなる。
【０２６２】
次に、第１の冷却加温室２を庫内凝縮器４６で加温し、第２の冷却加温室３と冷却専用室４のうちで冷却専用室４のみ冷却する冷却加温運転の場合は、図６の太線の冷媒流路を矢印の向きに冷媒が流れる運転となる。
【０２６３】
第１の冷却加温室２を庫内凝縮器４６で加温し、第２の冷却加温室３と冷却専用室４のうちで冷却専用室４のみ冷却する冷却加温運転の場合は、三方弁５７を、圧縮機５の吐出配管と庫内凝縮器４６の冷媒の入口とが連通する状態にするとともに、三方弁４２は庫内蒸発器９用の膨張機構４４への流路を閉塞し、庫内蒸発器１０用の膨張機構４５への流路を開放する状態にし、電磁弁５１と電磁弁５２と電磁弁５６を閉塞し、圧縮機５を起動する。
【０２６４】
圧縮機５から吐出された高温高圧のガス状の冷媒は、三方弁５７を通過した後に庫内凝縮器４６へと向かい、庫内凝縮器４６にて一部凝縮し、その際に庫内凝縮器４６の周囲の空気へと放熱することで第１の冷却加温室２内を加温する。なお、庫内凝縮器４６に冷媒が流れている時には、庫内ファン２７が庫内凝縮器４６に送風している。
【０２６５】
そして、庫内凝縮器４６を出た冷媒は膨張機構４８にて減圧された後に逆止弁５８を通過して庫外凝縮器４０にてさらに凝縮する。なお、庫外凝縮器４０に冷媒が流れている時には、庫外ファン２６が庫外凝縮器４０に送風している。
【０２６６】
庫外凝縮器４０から流出した冷媒は、電磁弁５１と電磁弁５２と電磁弁５６が閉塞されているため、全て、三方弁４２側に流れる。三方弁４２に流れた冷媒は、三方弁４２から膨張機構４５側に流れ、膨張機構４５にて減圧された後に庫内蒸発器１０で蒸発気化して冷却専用室４を冷却する。なお、庫内蒸発器１０に冷媒が流れている時には、庫内ファン２９が庫内蒸発器１０に送風している。
【０２６７】
そして、庫内蒸発器１０から流出した冷媒は、気液分離器５９でガス冷媒と液冷媒とに分離されて、気液分離器５９で液冷媒と分離されたガス冷媒が圧縮機５に吸い込まれる。
【０２６８】
そして、制御手段（図示せず）が、第１の冷却加温室２の室内温度が予め設定された加温温度範囲内を維持し、冷却専用室４の室内温度が予め設定された冷却温度範囲内を維持するように、三方弁５７と三方弁４２の切換え、及び圧縮機５と庫外ファン２６と庫内ファン２７，２９の運転を制御している。
【０２６９】
例えば、第１の冷却加温室２が加温温度範囲の上限値となる所定温度まで加温された時に、庫内蒸発器１０で冷却専用室４を冷却中であれば、庫内ファン２７を停止する。または、図４のように、三方弁５７を、圧縮機５の吐出配管と庫外凝縮器４０とが連通する状態にすると共に、庫内ファン２７を停止する。
【０２７０】
三方弁５７を切り換えずに庫内ファン２７を停止した後に、第１の冷却加温室２の温度が加温温度範囲の下限値となる所定温度まで低下すれば、庫内ファン２７を運転する。
【０２７１】
図４のように、庫内凝縮器４６に圧縮機５からの冷媒が流れないように三方弁５７を切り換えた後に、第１の冷却加温室２の温度が加温温度範囲の下限値となる所定温度まで低下すれば、図６のように、再び三方弁５７を、圧縮機５の吐出配管と庫内凝縮器４６の冷媒の入口とが連通する状態に戻すと共に、庫内ファン２７を運転する。
【０２７２】
また、図６に示す、第１の冷却加温室２を庫内凝縮器４６で加温し、第２の冷却加温室３と冷却専用室４のうちで冷却専用室４のみ冷却する冷却加温運転をしている時に、冷却専用室４が冷却温度範囲の下限値となる所定温度まで冷却された場合は、三方弁４２の膨
張機構４５側の冷媒の出口の閉塞と庫内ファン２９の停止に加え、バイパス流路の電磁弁５２と電磁弁５６のどちらか一方または両方を開放して、図９〜図１１のいずれかに示す状態にして、庫外蒸発器４１と庫内弱冷蒸発器５４のどちらか一方または両方で吸熱することにより、庫内凝縮器４６による第１の冷却加温室２の加温を継続する。
【０２７３】
このとき、電磁弁５２と電磁弁５６の両方を開放して、図１０に示す、庫外蒸発器４１と庫内弱冷蒸発器５４の両方で吸熱する状態にした場合は、電磁弁５２と電磁弁５６の片方のみを開放して庫外蒸発器４１と庫内弱冷蒸発器５４のどちらか一方で吸熱する図９または図１１に示す状態にした場合よりも、庫内凝縮器４６による第１の冷却加温室２の加温能力が高くなる。
【０２７４】
なお、第１の冷却加温室２を庫内凝縮器４６で加温し、第２の冷却加温室３と冷却専用室４のうち冷却専用室４だけを冷却する冷却加温運転する時に、バイパス流路の電磁弁５２を開放して図８に示す庫外蒸発器４１で吸熱する状態にすると、バイパス流路の電磁弁５２を開放せずに図６に示す状態にした場合よりも、庫外蒸発器４１で吸熱する分、庫内凝縮器４６による第１の冷却加温室２の加温能力が高くなる。
【０２７５】
なお、第１の冷却加温室２を庫内凝縮器４６で加温し、第２の冷却加温室３と冷却専用室４のうち冷却専用室４だけを冷却する冷却加温運転を開始する場合において、第１の冷却加温室２の庫内温度が所定の庫内上限温度（加熱終了温度）に達するまで、または、圧縮機５の吐出圧力が所定の圧縮機過負荷圧力に達するまでは、バイパス流路の電磁弁５２を開放して図８の太線の冷媒流路を矢印の向きに冷媒が流れるようにして冷却加温運転を開始しても構わない。
【０２７６】
その場合は、圧縮機５の吐出圧力が所定の圧縮機過負荷圧力に達した場合は、バイパス流路の電磁弁５２を閉塞して、冷媒が、図６の太線の冷媒流路を矢印の向きに流れるようにする。
【０２７７】
バイパス流路の電磁弁５２を開放して図８の太線の冷媒流路を矢印の向きに冷媒が流れるようにして冷却加温運転を開始して、圧縮機５の吐出圧力が所定の圧縮機過負荷圧力に達したことにより、バイパス流路の電磁弁５２を閉塞して図６の太線の冷媒流路を矢印の向きに流れるようにした後、圧縮機５の吐出圧力が圧縮機過負荷圧力より低い所定の圧縮機通常圧力（再開放圧力）に低下すれば、バイパス流路の電磁弁５２を開放して、再び、冷媒が、図８の太線の冷媒流路を矢印の向きに流れるようにする。
【０２７８】
詳細に説明すると、第１の冷却加温室２を加温し、第２の冷却加温室３と冷却専用室４のうちで冷却専用室４のみ冷却する冷却加温運転を開始する場合は、図８に示すように、三方弁５７を、圧縮機５の吐出配管と庫内凝縮器４６の冷媒の入口とが連通する状態にするとともに、三方弁４２は膨張機構４４への流路を閉塞し膨張機構４５への流路を開放する状態にし、電磁弁５１と電磁弁５６を閉塞し、電磁弁５２を開放し、圧縮機５を起動する。
【０２７９】
圧縮機５から吐出された高温高圧のガス状の冷媒は、三方弁５７を通過した後に庫内凝縮器４６へと向かい、庫内凝縮器４６にて一部凝縮し、その際に庫内凝縮器４６の周囲の空気へと放熱することで第１の冷却加温室２内を加温する。なお、庫内凝縮器４６に冷媒が流れている時には、庫内ファン２７が庫内凝縮器４６に送風している。
【０２８０】
そして、庫内凝縮器４６を出た冷媒は膨張機構４８にて減圧された後に逆止弁５８を通過して庫外凝縮器４０にて更に凝縮する。なお、庫外凝縮器４０に冷媒が流れている時には、庫外ファン２６が庫外凝縮器４０に送風している。
【０２８１】
庫外凝縮器４０から流出した冷媒は、三方弁４２から庫内蒸発器１０用の膨張機構４５側に流れるものと、バイパス流路に分岐して電磁弁５２から膨張機構５３側に流れるものとに分かれる。
【０２８２】
三方弁４２から庫内蒸発器１０用の膨張機構４５側に流れた冷媒は、膨張機構４５にて減圧された後に庫内蒸発器１０で蒸発気化して冷却専用室４を冷却する（下流側単独冷却運転）。なお、庫内蒸発器１０に冷媒が流れている時には、庫内ファン２９が庫内蒸発器１０に送風している。
【０２８３】
一方、バイパス流路に分岐して電磁弁５２から膨張機構５３側に流れた冷媒は、膨張機構５３にて減圧された後に庫外蒸発器４１で蒸発気化する。
【０２８４】
そして、庫内蒸発器１０から流出したガス状の冷媒と、庫外蒸発器４１から流出したガス状の冷媒とが合流して、圧縮機５に戻る。
【０２８５】
その後、もし、圧縮機５の吐出圧力が所定の圧縮機過負荷圧力に達した場合は、バイパス流路の電磁弁５２を閉塞する。
【０２８６】
ここで、圧縮機５の吐出圧力検知手段としては、吐出配管上に設けて直接冷媒の圧力を測定する圧力センサ、吐出配管上に設けたサーミスタなどが挙げられる。
【０２８７】
ただし、圧縮機５の吐出圧力は凝縮温度の形で熱交換器近傍の配管温度にて近似することが可能であり、また、凝縮温度のように温度が高い状態においては圧力損失による温度変化が非常に小さい（１〜２℃程度）ことから、庫内凝縮器４６近傍の配管上の温度をサーミスタなどにより検知を行うことで低コストでの実現が可能となる。
【０２８８】
バイパス流路の電磁弁５２が閉塞している時は、図６の太線の冷媒流路を矢印の向きに冷媒が流れる。
【０２８９】
圧縮機５から吐出された高温高圧のガス状の冷媒は、三方弁５７を通過した後に庫内凝縮器４６へと向かい、庫内凝縮器４６にて一部凝縮し、その際に庫内凝縮器４６の周囲の空気へと放熱することで第１の冷却加温室２内を加温する。なお、庫内凝縮器４６に冷媒が流れている時には、庫内ファン２７が庫内凝縮器４６に送風している。
【０２９０】
そして、庫内凝縮器４６を出た冷媒は膨張機構４８にて減圧された後に逆止弁５８を通過して庫外凝縮器４０にて更に凝縮する。なお、庫外凝縮器４０に冷媒が流れている時には、庫外ファン２６が庫外凝縮器４０に送風している。
【０２９１】
庫外凝縮器４０から流出した冷媒は、バイパス流路の電磁弁５２が閉塞しているため、全て、三方弁４２から庫内蒸発器１０用の膨張機構４５側に流れ、膨張機構４５にて減圧された後に庫内蒸発器１０で蒸発気化して冷却専用室４を冷却する（直列冷却運転）。なお、庫内蒸発器１０に冷媒が流れている時には、庫内ファン２９が庫内蒸発器１０に送風している。
【０２９２】
そして、庫内蒸発器１０から流出したガス状の冷媒は、圧縮機５に戻る。
【０２９３】
バイパス流路の電磁弁５２を閉塞した後、圧縮機５の吐出圧力が圧縮機過負荷圧力より低い所定の圧縮機通常圧力（再開放圧力）に低下すれば、閉塞していたバイパス流路の電磁弁５２を開放して、冷媒が図８の太線の冷媒流路を矢印の向きに流れるようにする。
【０２９４】
バイパス流路の電磁弁５２を開放している場合は、電磁弁５２を閉塞している場合よりも庫内凝縮器４６の加温能力を高めることができる。
【０２９５】
バイパス流路の電磁弁５２を開放すると、バイパス流路に冷媒が流れるため冷媒の流路抵抗が減り、冷媒の循環量が増え、庫内蒸発器１０の蒸発温度が上昇し、庫内凝縮器４６の凝縮温度が上昇する。よって、第１の冷却加温室２の庫内凝縮器４６による加温能力が高まり、加温ヒータ３０より効率のよいヒートポンプ加温（冷却加温システムによる加温）にて加温させることができる。
【０２９６】
そして、制御手段（図示せず）が、第１の冷却加温室２の室内温度が予め設定された加温温度範囲内を維持し、冷却専用室４の室内温度が予め設定された冷却温度範囲内を維持するように、三方弁５７と三方弁４２の切換え、及び圧縮機５と庫外ファン２６と庫内ファン２７，２９の運転を制御している。
【０２９７】
例えば、第１の冷却加温室２が加温温度範囲の上限値となる所定温度（加熱終了温度）まで加温された時に、庫内蒸発器９と庫内蒸発器１０のうち庫内蒸発器１０のみの単独冷却で冷却専用室４を冷却する下流側単独冷却運転中であれば、バイパス流路の電磁弁５２を閉塞すると共に庫内ファン２７を停止する。
【０２９８】
または、電磁弁５２の閉塞と庫内ファン２７の停止に加えて、図４に示すように、三方弁５７を、圧縮機５の吐出配管と庫外凝縮器４０とが連通する状態にする。
【０２９９】
ここで、バイパス流路の電磁弁５２を閉塞すると共に庫内ファン２７を停止するが、三方弁５７を、圧縮機５の吐出配管と庫外凝縮器４０とが連通する状態にしない場合は、バイパス流路の電磁弁５２の閉塞により、第１の冷却加温室２の庫内凝縮器４６による加温能力を低下させ、庫内ファン２７の停止により、第１の冷却加温室２内の空気と庫内凝縮器４６との熱交換量が低下する。
【０３００】
この場合、圧縮機５から吐出された高温高圧のガス状の冷媒の大半が、庫内凝縮器４６で凝縮できず、庫外凝縮器４０にて凝縮される。庫外凝縮器４０にて充分に凝縮させる必要がある場合は、庫外ファン２６の送風量を増やすことにより、庫外凝縮器４０と外気との熱交換量を増加させる。
【０３０１】
そして、バイパス流路の電磁弁５２を閉塞すると共に庫内ファン２７を停止した後に、第１の冷却加温室２の温度が加温温度範囲の下限値となる所定温度まで低下すれば、再び電磁弁５２を開放すると共に、庫内ファン２７を運転する。
【０３０２】
もし、図４に示すように、庫内凝縮器４６に圧縮機５からの冷媒が流れないように三方弁５７を切り換えた後に、第１の冷却加温室２の温度が加温温度範囲の下限値となる所定温度まで低下すれば、電磁弁５２の開放と庫内ファン２７の運転に加えて、再び三方弁５７を、圧縮機５の吐出配管と庫内凝縮器４６の冷媒の入口とが連通する状態（図８に示す状態）に戻す。
【０３０３】
また、図４に示す状態において、冷却専用室４が冷却温度範囲の下限値となる所定温度まで冷却されると、三方弁４２の庫内蒸発器１０用の膨張機構４５側の冷媒の出口の閉塞と庫内ファン２９の停止に加え、圧縮機５を停止する。
【０３０４】
また、図６に示す状態において、冷却専用室４が冷却温度範囲の下限値となる所定温度まで冷却された時に、第１の冷却加温室２の加温が必要（第１の冷却加温室２の庫内温度
が所定の庫内上限温度（加熱終了温度）未満）であれば、三方弁４２の庫内蒸発器１０用の膨張機構４５側の冷媒の出口の閉塞と庫内ファン２９の停止に加え、バイパス流路の電磁弁５２と電磁弁５６のどちらか一方または両方を開放して、図９〜図１１のいずれかに示す状態にして、庫外蒸発器４１と庫内弱冷蒸発器５４のどちらか一方または両方で吸熱することにより、庫内凝縮器４６による第１の冷却加温室２の加温を継続する。
【０３０５】
このとき、電磁弁５２と電磁弁５６の両方を開放して、図１０に示す、庫外蒸発器４１と庫内弱冷蒸発器５４の両方で吸熱する状態にした場合は、電磁弁５２と電磁弁５６の片方のみを開放して庫外蒸発器４１と庫内弱冷蒸発器５４のどちらか一方で吸熱する図９または図１１に示す状態にした場合よりも、庫内凝縮器４６による第１の冷却加温室２の加温能力が高くなる。
【０３０６】
次に、第１の冷却加温室２を庫内凝縮器４６で加温するが、第２の冷却加温室３と冷却専用室４のどちらにおいても冷却しない加温運転（第１の冷却加温室２を加温するのみの加温運転）の場合は、図９〜図１１のいずれかに示す状態にする。
【０３０７】
このとき、電磁弁５２と電磁弁５６の両方を開放して、図１０に示す、庫外蒸発器４１と庫内弱冷蒸発器５４の両方で吸熱する状態にした場合は、電磁弁５２と電磁弁５６の片方のみを開放して庫外蒸発器４１と庫内弱冷蒸発器５４のどちらか一方で吸熱する図９または図１１に示す状態にした場合よりも、庫内凝縮器４６による第１の冷却加温室２の加温能力が高くなる。
【０３０８】
図９の太線の冷媒流路を矢印の向きに冷媒が流れる運転の場合は、三方弁５７を、圧縮機５の吐出配管と庫内凝縮器４６の冷媒の入口とが連通する状態にするとともに、庫内蒸発器４７用の膨張機構４３に冷媒が流れないように電磁弁５１を閉塞し、三方弁４２の庫内蒸発器９用の膨張機構４４への流路（出口）と庫内蒸発器１０用の膨張機構４５への流路（出口）の全ての流路（出口）を閉塞し、バイパス流路の電磁弁５２を開放し、電磁弁５６を閉塞して、圧縮機５を起動し、庫外ファン２６と庫内ファン２７を運転する。
【０３０９】
圧縮機５から吐出された高温高圧のガス状の冷媒は、三方弁５７を通過した後に庫内凝縮器４６へと向かい、庫内凝縮器４６にて一部凝縮し、その際に庫内凝縮器４６の周囲の空気へと放熱することで第１の冷却加温室２内を加温する。庫内凝縮器４６を出た冷媒は膨張機構４８にて減圧された後に逆止弁５８を通過して庫外凝縮器４０にて更に凝縮する。
【０３１０】
庫外凝縮器４０から流出した冷媒は、三方弁４２の２つの出口と電磁弁５１と電磁弁５６が閉塞され電磁弁５２が開放されているため、庫内蒸発器９，１０，４７と庫内弱冷蒸発器５４には流れず、全て、バイパス流路側に流れる。
【０３１１】
そして、バイパス流路の電磁弁５２を通過し、膨張機構５３にて減圧された後に庫外蒸発器４１にて蒸発気化し、圧縮機５へと還流する。
【０３１２】
そして、第１の冷却加温室２が、加温温度範囲の上限値となる所定温度まで加温されると、制御手段（図示せず）が、圧縮機５と庫外ファン２６と庫内ファン２７を停止し、圧縮機５と庫外ファン２６と庫内ファン２７が停止中に第１の冷却加温室２の温度が加温温度範囲の下限値となる所定温度まで低下すると、制御手段（図示せず）が、圧縮機５と庫外ファン２６と庫内ファン２７を運転する。
【０３１３】
図１０の太線の冷媒流路を矢印の向きに冷媒が流れる運転の場合は、三方弁５７を、圧縮機５の吐出配管と庫内凝縮器４６の冷媒の入口とが連通する状態にするとともに、庫内
蒸発器４７用の膨張機構４３に冷媒が流れないように電磁弁５１を閉塞し、三方弁４２の庫内蒸発器９用の膨張機構４４への流路（出口）と庫内蒸発器１０用の膨張機構４５への流路（出口）の全ての流路（出口）を閉塞し、バイパス流路の電磁弁５２と電磁弁５６を開放して、圧縮機５を起動し、庫外ファン２６と庫内ファン２７を運転する。
【０３１４】
圧縮機５から吐出された高温高圧のガス状の冷媒は、三方弁５７を通過した後に庫内凝縮器４６へと向かい、庫内凝縮器４６にて一部凝縮し、その際に庫内凝縮器４６の周囲の空気へと放熱することで第１の冷却加温室２内を加温する。庫内凝縮器４６を出た冷媒は膨張機構４８にて減圧された後に逆止弁５８を通過して庫外凝縮器４０にて更に凝縮する。
【０３１５】
庫外凝縮器４０から流出した冷媒は、三方弁４２の２つの出口と電磁弁５１が閉塞され電磁弁５２と電磁弁５６が開放されているため、庫内蒸発器９，１０，４７には流れず、全て、バイパス流路側に流れる。
【０３１６】
そして、バイパス流路に流れた冷媒の一部は電磁弁５２を通過し、膨張機構５３にて減圧された後に庫外蒸発器４１にて蒸発気化し、圧縮機５へと還流する。また、バイパス流路に流れた冷媒の残りは電磁弁５６を通過し、膨張機構５５にて減圧された後に庫内弱冷蒸発器５４にて蒸発気化し、気液分離器５９を通って圧縮機５へと還流する。
【０３１７】
そして、第１の冷却加温室２が、加温温度範囲の上限値となる所定温度まで加温されると、制御手段（図示せず）が、圧縮機５と庫外ファン２６と庫内ファン２７を停止し、圧縮機５と庫外ファン２６と庫内ファン２７が停止中に第１の冷却加温室２の温度が加温温度範囲の下限値となる所定温度まで低下すると、制御手段（図示せず）が、圧縮機５と庫外ファン２６と庫内ファン２７を運転する。
【０３１８】
図１１の太線の冷媒流路を矢印の向きに冷媒が流れる運転の場合は、三方弁５７を、圧縮機５の吐出配管と庫内凝縮器４６の冷媒の入口とが連通する状態にするとともに、庫内蒸発器４７用の膨張機構４３に冷媒が流れないように電磁弁５１を閉塞し、三方弁４２の庫内蒸発器９用の膨張機構４４への流路（出口）と庫内蒸発器１０用の膨張機構４５への流路（出口）の全ての流路（出口）を閉塞し、バイパス流路の電磁弁５２を閉塞し電磁弁５６を開放して、圧縮機５を起動し、庫外ファン２６と庫内ファン２７を運転する。
【０３１９】
圧縮機５から吐出された高温高圧のガス状の冷媒は、三方弁５７を通過した後に庫内凝縮器４６へと向かい、庫内凝縮器４６にて一部凝縮し、その際に庫内凝縮器４６の周囲の空気へと放熱することで第１の冷却加温室２内を加温する。庫内凝縮器４６を出た冷媒は膨張機構４８にて減圧された後に逆止弁５８を通過して庫外凝縮器４０にて更に凝縮する。
【０３２０】
庫外凝縮器４０から流出した冷媒は、三方弁４２の２つの出口と電磁弁５１と電磁弁５２が閉塞され電磁弁５６が開放されているため、庫内蒸発器９，１０，４７と庫外蒸発器４１には流れず、バイパス流路から電磁弁５６を通過し、膨張機構５５にて減圧された後に庫内弱冷蒸発器５４にて蒸発気化し、気液分離器５９を通って圧縮機５へと還流する。
【０３２１】
そして、第１の冷却加温室２が、加温温度範囲の上限値となる所定温度まで加温されると、制御手段（図示せず）が、圧縮機５と庫外ファン２６と庫内ファン２７を停止し、圧縮機５と庫外ファン２６と庫内ファン２７が停止中に第１の冷却加温室２の温度が加温温度範囲の下限値となる所定温度まで低下すると、制御手段（図示せず）が、圧縮機５と庫外ファン２６と庫内ファン２７を運転する。
【０３２２】
次に、第１の冷却加温室２を庫内凝縮器４６で加温し、第２の冷却加温室３を加温ヒータ３１で加温し、冷却専用室４を冷却する冷却加温運転の場合は、図１２の太線の冷媒流路を矢印の向きに冷媒が流れ、加温ヒータ３１に通電する運転となる。
【０３２３】
第１の冷却加温室２を庫内凝縮器４６で加温し、第２の冷却加温室３を加温ヒータ３１で加温し、冷却専用室４を冷却する冷却加温運転の場合は、三方弁５７を、圧縮機５の吐出配管と庫内凝縮器４６の冷媒の入口とが連通する状態にするとともに、三方弁４２は庫内蒸発器９用の膨張機構４４への流路を閉塞し、庫内蒸発器１０用の膨張機構４５への流路を開放する状態にし、電磁弁５１と電磁弁５２と電磁弁５６を閉塞し、圧縮機５を起動する。また、加温ヒータ３１に通電する。
【０３２４】
圧縮機５から吐出された高温高圧のガス状の冷媒は、三方弁５７を通過した後に庫内凝縮器４６へと向かい、庫内凝縮器４６にて一部凝縮し、その際に庫内凝縮器４６の周囲の空気へと放熱することで第１の冷却加温室２内を加温する。なお、庫内凝縮器４６に冷媒が流れている時には、庫内ファン２７が庫内凝縮器４６に送風している。
【０３２５】
そして、庫内凝縮器４６を出た冷媒は膨張機構４８にて減圧された後に逆止弁５８を通過して庫外凝縮器４０にてさらに凝縮する。なお、庫外凝縮器４０に冷媒が流れている時には、庫外ファン２６が庫外凝縮器４０に送風している。
【０３２６】
庫外凝縮器４０から流出した冷媒は、電磁弁５１と電磁弁５２と電磁弁５６が閉塞されているため、全て、三方弁４２側に流れる。三方弁４２に流れた冷媒は、三方弁４２から膨張機構４５側に流れ、膨張機構４５にて減圧された後に庫内蒸発器１０で蒸発気化して冷却専用室４を冷却する。なお、庫内蒸発器１０に冷媒が流れている時には、庫内ファン２９が庫内蒸発器１０に送風している。
【０３２７】
そして、庫内蒸発器１０から流出した冷媒は、気液分離器５９でガス冷媒と液冷媒とに分離されて、気液分離器５９で液冷媒と分離されたガス冷媒が圧縮機５に吸い込まれる。
【０３２８】
また、加温ヒータ３１に通電している時は、加温ヒータ３１が第２の冷却加温室３内を加温し、庫内ファン２８が加温ヒータ３１に送風している。
【０３２９】
そして、制御手段（図示せず）が、第１の冷却加温室２と第２の冷却加温室３の室内温度が予め設定された加温温度範囲内を維持し、冷却専用室４の室内温度が予め設定された冷却温度範囲内を維持するように、三方弁５７と三方弁４２の切換え、及び圧縮機５と庫外ファン２６と庫内ファン２７，２８，２９の運転と加温ヒータ３１の通電を制御している。
【０３３０】
例えば、第１の冷却加温室２が加温温度範囲の上限値となる所定温度まで加温された時に、庫内蒸発器１０で冷却専用室４を冷却中であれば、庫内ファン２７を停止する。または、三方弁５７を、圧縮機５の吐出配管と庫外凝縮器４０とが連通する状態にすると共に、庫内ファン２７を停止する。
【０３３１】
三方弁５７を切り換えずに庫内ファン２７を停止した後に、第１の冷却加温室２の温度が加温温度範囲の下限値となる所定温度まで低下すれば、庫内ファン２７を運転する。
【０３３２】
図１２に示す状態から、庫内凝縮器４６に圧縮機５からの冷媒が流れないように三方弁５７を切り換えた後に、第１の冷却加温室２の温度が加温温度範囲の下限値となる所定温度まで低下すれば、図１２のように、再び三方弁５７を、圧縮機５の吐出配管と庫内凝縮器４６の冷媒の入口とが連通する状態に戻すと共に、庫内ファン２７を運転する。
【０３３３】
また、図１２に示す、第１の冷却加温室２を庫内凝縮器４６で加温し、第２の冷却加温室３を加温ヒータ３１で加温し、冷却専用室４を冷却する冷却加温運転をしている時に、第２の冷却加温室３が加温温度範囲の上限値となる所定温度まで加温されると、第２の冷却加温室３の温度が加温温度範囲の下限値となる所定温度まで低下するまで、加温ヒータ３１の通電を停止する。
【０３３４】
また、図１２に示す、第１の冷却加温室２を庫内凝縮器４６で加温し、第２の冷却加温室３を加温ヒータ３１で加温し、冷却専用室４を冷却する冷却加温運転をしている時に、冷却専用室４が冷却温度範囲の下限値となる所定温度まで冷却された場合は、三方弁４２の膨張機構４５側の冷媒の出口の閉塞と庫内ファン２９の停止に加え、バイパス流路の電磁弁５２と電磁弁５６のどちらか一方または両方を開放して、庫外蒸発器４１と庫内弱冷蒸発器５４のどちらか一方または両方で吸熱することにより、庫内凝縮器４６による第１の冷却加温室２の加温を継続する。
【０３３５】
このとき、電磁弁５２と電磁弁５６の両方を開放して、庫外蒸発器４１と庫内弱冷蒸発器５４の両方で吸熱する状態にした場合は、電磁弁５２と電磁弁５６の片方のみを開放して庫外蒸発器４１と庫内弱冷蒸発器５４のどちらか一方で吸熱する状態にした場合よりも、庫内凝縮器４６による第１の冷却加温室２の加温能力が高くなる。
【０３３６】
なお、第１の冷却加温室２を庫内凝縮器４６で加温し、第２の冷却加温室３を加温ヒータ３１で加温し、冷却専用室４を冷却する冷却加温運転する時に、バイパス流路の電磁弁５２を開放して図１３に示す庫外蒸発器４１で吸熱する状態にすると、バイパス流路の電磁弁５２を開放せずに図１２に示す状態にした場合よりも、庫外蒸発器４１で吸熱する分、庫内凝縮器４６による第１の冷却加温室２の加温能力が高くなる。
【０３３７】
なお、第１の冷却加温室２を庫内凝縮器４６で加温し、第２の冷却加温室３を加温ヒータ３１で加温し、冷却専用室４を冷却する冷却加温運転を開始する場合において、第１の冷却加温室２の庫内温度が所定の庫内上限温度（加熱終了温度）に達するまで、または、圧縮機５の吐出圧力が所定の圧縮機過負荷圧力に達するまでは、バイパス流路の電磁弁５２を開放して図１３の太線の冷媒流路を矢印の向きに冷媒が流れるようにして冷却加温運転を開始しても構わない。
【０３３８】
その場合は、圧縮機５の吐出圧力が所定の圧縮機過負荷圧力に達した場合は、バイパス流路の電磁弁５２を閉塞して、冷媒が、図１２の太線の冷媒流路を矢印の向きに流れるようにする。
【０３３９】
バイパス流路の電磁弁５２を開放して図１３の太線の冷媒流路を矢印の向きに冷媒が流れるようにして冷却加温運転を開始して、圧縮機５の吐出圧力が所定の圧縮機過負荷圧力に達したことにより、バイパス流路の電磁弁５２を閉塞して図１２の太線の冷媒流路を矢印の向きに流れるようにした後、圧縮機５の吐出圧力が圧縮機過負荷圧力より低い所定の圧縮機通常圧力（再開放圧力）に低下すれば、バイパス流路の電磁弁５２を開放して、再び、冷媒が、図１３の太線の冷媒流路を矢印の向きに流れるようにする。
【０３４０】
詳細に説明すると、第１の冷却加温室２を加温し、第２の冷却加温室３を加温ヒータ３１で加温し、冷却専用室４を冷却する冷却加温運転を開始する場合は、図１３に示すように、三方弁５７を、圧縮機５の吐出配管と庫内凝縮器４６の冷媒の入口とが連通する状態にするとともに、三方弁４２は膨張機構４４への流路を閉塞し膨張機構４５への流路を開放する状態にし、電磁弁５１と電磁弁５６を閉塞し、電磁弁５２を開放し、圧縮機５を起動する。さらに、加温ヒータ３１に通電する。なお、加温ヒータ３１に通電している時に
は、庫内ファン２８が加温ヒータ３１に送風している。
【０３４１】
圧縮機５から吐出された高温高圧のガス状の冷媒は、三方弁５７を通過した後に庫内凝縮器４６へと向かい、庫内凝縮器４６にて一部凝縮し、その際に庫内凝縮器４６の周囲の空気へと放熱することで第１の冷却加温室２内を加温する。なお、庫内凝縮器４６に冷媒が流れている時には、庫内ファン２７が庫内凝縮器４６に送風している。
【０３４２】
そして、庫内凝縮器４６を出た冷媒は膨張機構４８にて減圧された後に逆止弁５８を通過して庫外凝縮器４０にて更に凝縮する。なお、庫外凝縮器４０に冷媒が流れている時には、庫外ファン２６が庫外凝縮器４０に送風している。
【０３４３】
庫外凝縮器４０から流出した冷媒は、三方弁４２から庫内蒸発器１０用の膨張機構４５側に流れるものと、バイパス流路に分岐して電磁弁５２から膨張機構５３側に流れるものとに分かれる。
【０３４４】
三方弁４２から庫内蒸発器１０用の膨張機構４５側に流れた冷媒は、膨張機構４５にて減圧された後に庫内蒸発器１０で蒸発気化して冷却専用室４を冷却する（下流側単独冷却運転）。なお、庫内蒸発器１０に冷媒が流れている時には、庫内ファン２９が庫内蒸発器１０に送風している。
【０３４５】
一方、バイパス流路に分岐して電磁弁５２から膨張機構５３側に流れた冷媒は、膨張機構５３にて減圧された後に庫外蒸発器４１で蒸発気化する。
【０３４６】
そして、庫内蒸発器１０から流出したガス状の冷媒と、庫外蒸発器４１から流出したガス状の冷媒とが合流して、圧縮機５に戻る。
【０３４７】
その後、もし、圧縮機５の吐出圧力が所定の圧縮機過負荷圧力に達した場合は、バイパス流路の電磁弁５２を閉塞する。
【０３４８】
ここで、圧縮機５の吐出圧力検知手段としては、吐出配管上に設けて直接冷媒の圧力を測定する圧力センサ、吐出配管上に設けたサーミスタなどが挙げられる。
【０３４９】
ただし、圧縮機５の吐出圧力は凝縮温度の形で熱交換器近傍の配管温度にて近似することが可能であり、また、凝縮温度のように温度が高い状態においては圧力損失による温度変化が非常に小さい（１〜２℃程度）ことから、庫内凝縮器４６近傍の配管上の温度をサーミスタなどにより検知を行うことで低コストでの実現が可能となる。
【０３５０】
バイパス流路の電磁弁５２が閉塞している時は、図１２の太線の冷媒流路を矢印の向きに冷媒が流れる。
【０３５１】
圧縮機５から吐出された高温高圧のガス状の冷媒は、三方弁５７を通過した後に庫内凝縮器４６へと向かい、庫内凝縮器４６にて一部凝縮し、その際に庫内凝縮器４６の周囲の空気へと放熱することで第１の冷却加温室２内を加温する。なお、庫内凝縮器４６に冷媒が流れている時には、庫内ファン２７が庫内凝縮器４６に送風している。
【０３５２】
そして、庫内凝縮器４６を出た冷媒は膨張機構４８にて減圧された後に逆止弁５８を通過して庫外凝縮器４０にて更に凝縮する。なお、庫外凝縮器４０に冷媒が流れている時には、庫外ファン２６が庫外凝縮器４０に送風している。
【０３５３】
庫外凝縮器４０から流出した冷媒は、バイパス流路の電磁弁５２が閉塞しているため、
全て、三方弁４２から庫内蒸発器１０用の膨張機構４５側に流れ、膨張機構４５にて減圧された後に庫内蒸発器１０で蒸発気化して冷却専用室４を冷却する（直列冷却運転）。なお、庫内蒸発器１０に冷媒が流れている時には、庫内ファン２９が庫内蒸発器１０に送風している。
【０３５４】
そして、庫内蒸発器１０から流出したガス状の冷媒は、圧縮機５に戻る。
【０３５５】
バイパス流路の電磁弁５２を閉塞した後、圧縮機５の吐出圧力が圧縮機過負荷圧力より低い所定の圧縮機通常圧力（再開放圧力）に低下すれば、閉塞していたバイパス流路の電磁弁５２を開放して、冷媒が図１３の太線の冷媒流路を矢印の向きに流れるようにする。
【０３５６】
バイパス流路の電磁弁５２を開放している場合は、電磁弁５２を閉塞している場合よりも庫内凝縮器４６の加温能力を高めることができる。
【０３５７】
バイパス流路の電磁弁５２を開放すると、バイパス流路に冷媒が流れるため冷媒の流路抵抗が減り、冷媒の循環量が増え、庫内蒸発器１０の蒸発温度が上昇し、庫内凝縮器４６の凝縮温度が上昇する。よって、第１の冷却加温室２の庫内凝縮器４６による加温能力が高まり、加温ヒータ３０より効率のよいヒートポンプ加温（冷却加温システムによる加温）にて加温させることができる。
【０３５８】
そして、制御手段（図示せず）が、第１の冷却加温室２と第２の冷却加温室３の室内温度が予め設定された加温温度範囲内を維持し、冷却専用室４の室内温度が予め設定された冷却温度範囲内を維持するように、三方弁５７と三方弁４２の切換え、及び圧縮機５と庫外ファン２６と庫内ファン２７，２８，２９の運転と加温ヒータ３１の通電を制御している。
【０３５９】
例えば、第１の冷却加温室２が加温温度範囲の上限値となる所定温度（加熱終了温度）まで加温された時に、庫内蒸発器９と庫内蒸発器１０のうち庫内蒸発器１０のみの単独冷却で冷却専用室４を冷却する下流側単独冷却運転中であれば、バイパス流路の電磁弁５２を閉塞すると共に庫内ファン２７を停止する。
【０３６０】
または、電磁弁５２の閉塞と庫内ファン２７の停止に加えて、三方弁５７を、圧縮機５の吐出配管と庫外凝縮器４０とが連通する状態にする。
【０３６１】
ここで、バイパス流路の電磁弁５２を閉塞すると共に庫内ファン２７を停止するが、三方弁５７を、圧縮機５の吐出配管と庫外凝縮器４０とが連通する状態にしない場合は、バイパス流路の電磁弁５２の閉塞により、第１の冷却加温室２の庫内凝縮器４６による加温能力を低下させ、庫内ファン２７の停止により、第１の冷却加温室２内の空気と庫内凝縮器４６との熱交換量が低下する。
【０３６２】
この場合、圧縮機５から吐出された高温高圧のガス状の冷媒の大半が、庫内凝縮器４６で凝縮できず、庫外凝縮器４０にて凝縮される。庫外凝縮器４０にて充分に凝縮させる必要がある場合は、庫外ファン２６の送風量を増やすことにより、庫外凝縮器４０と外気との熱交換量を増加させる。
【０３６３】
そして、バイパス流路の電磁弁５２を閉塞すると共に庫内ファン２７を停止した後に、第１の冷却加温室２の温度が加温温度範囲の下限値となる所定温度まで低下すれば、再び電磁弁５２を開放すると共に、庫内ファン２７を運転する。
【０３６４】
もし、庫内凝縮器４６に圧縮機５からの冷媒が流れないように三方弁５７を切り換えた
後に、第１の冷却加温室２の温度が加温温度範囲の下限値となる所定温度まで低下すれば、電磁弁５２の開放と庫内ファン２７の運転に加えて、再び三方弁５７を、圧縮機５の吐出配管と庫内凝縮器４６の冷媒の入口とが連通する状態（図１３に示す状態）に戻す。
【０３６５】
また、圧縮機５の吐出配管と庫外凝縮器４０とが連通する状態において、冷却専用室４が冷却温度範囲の下限値となる所定温度まで冷却されると、三方弁４２の庫内蒸発器１０用の膨張機構４５側の冷媒の出口の閉塞と庫内ファン２９の停止に加え、圧縮機５を停止する。
【０３６６】
また、図１２に示す状態において、冷却専用室４が冷却温度範囲の下限値となる所定温度まで冷却された時に、第１の冷却加温室２の加温が必要（第１の冷却加温室２の庫内温度が所定の庫内上限温度（加熱終了温度）未満）であれば、三方弁４２の庫内蒸発器１０用の膨張機構４５側の冷媒の出口の閉塞と庫内ファン２９の停止に加え、バイパス流路の電磁弁５２と電磁弁５６のどちらか一方または両方を開放して、図１４〜図１６のいずれかに示す状態にして、庫外蒸発器４１と庫内弱冷蒸発器５４のどちらか一方または両方で吸熱することにより、庫内凝縮器４６による第１の冷却加温室２の加温を継続する。
【０３６７】
このとき、電磁弁５２と電磁弁５６の両方を開放して、図１５に示す、庫外蒸発器４１と庫内弱冷蒸発器５４の両方で吸熱する状態にした場合は、電磁弁５２と電磁弁５６の片方のみを開放して庫外蒸発器４１と庫内弱冷蒸発器５４のどちらか一方で吸熱する図１４または図１６に示す状態にした場合よりも、庫内凝縮器４６による第１の冷却加温室２の加温能力が高くなる。
【０３６８】
次に、第１の冷却加温室２を庫内凝縮器４６で加温し、第２の冷却加温室３を加温ヒータ３１で加温するが、冷却専用室４を冷却しない加温運転の場合は、図１４〜図１６のいずれかに示す状態にする。
【０３６９】
このとき、電磁弁５２と電磁弁５６の両方を開放して、図１５に示す、庫外蒸発器４１と庫内弱冷蒸発器５４の両方で吸熱する状態にした場合は、電磁弁５２と電磁弁５６の片方のみを開放して庫外蒸発器４１と庫内弱冷蒸発器５４のどちらか一方で吸熱する図１４または図１６に示す状態にした場合よりも、庫内凝縮器４６による第１の冷却加温室２の加温能力が高くなる。
【０３７０】
図１４の太線の冷媒流路を矢印の向きに冷媒が流れる運転の場合は、三方弁５７を、圧縮機５の吐出配管と庫内凝縮器４６の冷媒の入口とが連通する状態にするとともに、庫内蒸発器４７用の膨張機構４３に冷媒が流れないように電磁弁５１を閉塞し、三方弁４２の庫内蒸発器９用の膨張機構４４への流路（出口）と庫内蒸発器１０用の膨張機構４５への流路（出口）の全ての流路（出口）を閉塞し、バイパス流路の電磁弁５２を開放し、電磁弁５６を閉塞して、圧縮機５を起動し、加温ヒータ３１に通電し、庫外ファン２６と庫内ファン２７，２８を運転する。
【０３７１】
圧縮機５から吐出された高温高圧のガス状の冷媒は、三方弁５７を通過した後に庫内凝縮器４６へと向かい、庫内凝縮器４６にて一部凝縮し、その際に庫内凝縮器４６の周囲の空気へと放熱することで第１の冷却加温室２内を加温する。庫内凝縮器４６を出た冷媒は膨張機構４８にて減圧された後に逆止弁５８を通過して庫外凝縮器４０にて更に凝縮する。
【０３７２】
庫外凝縮器４０から流出した冷媒は、三方弁４２の２つの出口と電磁弁５１と電磁弁５６が閉塞され電磁弁５２が開放されているため、庫内蒸発器９，１０，４７と庫内弱冷蒸発器５４には流れず、全て、バイパス流路側に流れる。
【０３７３】
そして、バイパス流路の電磁弁５２を通過し、膨張機構５３にて減圧された後に庫外蒸発器４１にて蒸発気化し、圧縮機５へと還流する。
【０３７４】
そして、第１の冷却加温室２が、加温温度範囲の上限値となる所定温度まで加温されると、制御手段（図示せず）が、圧縮機５と庫外ファン２６と庫内ファン２７を停止し、圧縮機５と庫外ファン２６と庫内ファン２７が停止中に第１の冷却加温室２の温度が加温温度範囲の下限値となる所定温度まで低下すると、制御手段（図示せず）が、圧縮機５と庫外ファン２６と庫内ファン２７を運転する。
【０３７５】
また、第２の冷却加温室３が、加温温度範囲の上限値となる所定温度まで加温されると、制御手段（図示せず）が、加温ヒータ３１の通電を停止し、加温ヒータ３１の通電の停止している時に、第２の冷却加温室３の温度が加温温度範囲の下限値となる所定温度まで低下すると、制御手段（図示せず）が、再び、加温ヒータ３１に通電する。
【０３７６】
図１５の太線の冷媒流路を矢印の向きに冷媒が流れる運転の場合は、三方弁５７を、圧縮機５の吐出配管と庫内凝縮器４６の冷媒の入口とが連通する状態にするとともに、庫内蒸発器４７用の膨張機構４３に冷媒が流れないように電磁弁５１を閉塞し、三方弁４２の庫内蒸発器９用の膨張機構４４への流路（出口）と庫内蒸発器１０用の膨張機構４５への流路（出口）の全ての流路（出口）を閉塞し、バイパス流路の電磁弁５２と電磁弁５６を開放して、圧縮機５を起動し、加温ヒータ３１に通電し、庫外ファン２６と庫内ファン２７，２８を運転する。
【０３７７】
圧縮機５から吐出された高温高圧のガス状の冷媒は、三方弁５７を通過した後に庫内凝縮器４６へと向かい、庫内凝縮器４６にて一部凝縮し、その際に庫内凝縮器４６の周囲の空気へと放熱することで第１の冷却加温室２内を加温する。庫内凝縮器４６を出た冷媒は膨張機構４８にて減圧された後に逆止弁５８を通過して庫外凝縮器４０にて更に凝縮する。
【０３７８】
庫外凝縮器４０から流出した冷媒は、三方弁４２の２つの出口と電磁弁５１が閉塞され電磁弁５２と電磁弁５６が開放されているため、庫内蒸発器９，１０，４７には流れず、全て、バイパス流路側に流れる。
【０３７９】
そして、バイパス流路に流れた冷媒の一部は電磁弁５２を通過し、膨張機構５３にて減圧された後に庫外蒸発器４１にて蒸発気化し、圧縮機５へと還流する。また、バイパス流路に流れた冷媒の残りは電磁弁５６を通過し、膨張機構５５にて減圧された後に庫内弱冷蒸発器５４にて蒸発気化し、気液分離器５９を通って圧縮機５へと還流する。
【０３８０】
そして、第１の冷却加温室２が、加温温度範囲の上限値となる所定温度まで加温されると、制御手段（図示せず）が、圧縮機５と庫外ファン２６と庫内ファン２７を停止し、圧縮機５と庫外ファン２６と庫内ファン２７が停止中に第１の冷却加温室２の温度が加温温度範囲の下限値となる所定温度まで低下すると、制御手段（図示せず）が、圧縮機５と庫外ファン２６と庫内ファン２７を運転する。
【０３８１】
また、第２の冷却加温室３が、加温温度範囲の上限値となる所定温度まで加温されると、制御手段（図示せず）が、加温ヒータ３１の通電を停止し、加温ヒータ３１の通電の停止している時に、第２の冷却加温室３の温度が加温温度範囲の下限値となる所定温度まで低下すると、制御手段（図示せず）が、再び、加温ヒータ３１に通電する。
【０３８２】
図１６の太線の冷媒流路を矢印の向きに冷媒が流れる運転の場合は、三方弁５７を、圧
縮機５の吐出配管と庫内凝縮器４６の冷媒の入口とが連通する状態にするとともに、庫内蒸発器４７用の膨張機構４３に冷媒が流れないように電磁弁５１を閉塞し、三方弁４２の庫内蒸発器９用の膨張機構４４への流路（出口）と庫内蒸発器１０用の膨張機構４５への流路（出口）の全ての流路（出口）を閉塞し、バイパス流路の電磁弁５２を閉塞し電磁弁５６を開放して、圧縮機５を起動し、加温ヒータ３１に通電し、庫外ファン２６と庫内ファン２７，２８を運転する。
【０３８３】
圧縮機５から吐出された高温高圧のガス状の冷媒は、三方弁５７を通過した後に庫内凝縮器４６へと向かい、庫内凝縮器４６にて一部凝縮し、その際に庫内凝縮器４６の周囲の空気へと放熱することで第１の冷却加温室２内を加温する。庫内凝縮器４６を出た冷媒は膨張機構４８にて減圧された後に逆止弁５８を通過して庫外凝縮器４０にて更に凝縮する。
【０３８４】
庫外凝縮器４０から流出した冷媒は、三方弁４２の２つの出口と電磁弁５１と電磁弁５２が閉塞され電磁弁５６が開放されているため、庫内蒸発器９，１０，４７と庫外蒸発器４１には流れず、バイパス流路から電磁弁５６を通過し、膨張機構５５にて減圧された後に庫内弱冷蒸発器５４にて蒸発気化し、気液分離器５９を通って圧縮機５へと還流する。
【０３８５】
そして、第１の冷却加温室２が、加温温度範囲の上限値となる所定温度まで加温されると、制御手段（図示せず）が、圧縮機５と庫外ファン２６と庫内ファン２７を停止し、圧縮機５と庫外ファン２６と庫内ファン２７が停止中に第１の冷却加温室２の温度が加温温度範囲の下限値となる所定温度まで低下すると、制御手段（図示せず）が、圧縮機５と庫外ファン２６と庫内ファン２７を運転する。
【０３８６】
また、第２の冷却加温室３が、加温温度範囲の上限値となる所定温度まで加温されると、制御手段（図示せず）が、加温ヒータ３１の通電を停止し、加温ヒータ３１の通電の停止している時に、第２の冷却加温室３の温度が加温温度範囲の下限値となる所定温度まで低下すると、制御手段（図示せず）が、再び、加温ヒータ３１に通電する。
【０３８７】
次に、第１の冷却加温室２を加温ヒータ３０で加温し、第２の冷却加温室３と冷却専用室４を冷却する冷却運転の場合は、図１７の太線の冷媒流路を矢印の向きに冷媒が流れる運転となる。
【０３８８】
第１の冷却加温室２を加温ヒータ３０で加温し、第２の冷却加温室３と冷却専用室４を冷却する冷却運転の場合は、三方弁５７を、圧縮機５の吐出配管と庫外凝縮器４０とが連通する状態にするとともに、三方弁４２は庫内蒸発器９用の膨張機構４４への流路を開放し庫内蒸発器１０用の膨張機構４５への流路を閉塞する状態にし、電磁弁５１と電磁弁５２と電磁弁５６を閉塞し、圧縮機５を起動する。さらに、加温ヒータ３０に通電する。なお、加温ヒータ３０に通電している時は、庫内ファン２７が庫内蒸発器４７に送風している。
【０３８９】
圧縮機５から吐出された高温高圧のガス状の冷媒は、三方弁５７を通過して庫外凝縮器４０で冷却されて凝縮する。なお、庫外凝縮器４０に冷媒が流れている時には、庫外ファン２６が庫外凝縮器４０に送風している。庫外凝縮器４０で凝縮した冷媒は、三方弁４２から膨張機構４４側に流れ、膨張機構４４にて減圧された後に庫内蒸発器９で蒸発気化して第２の冷却加温室３を冷却する。なお、庫内蒸発器９に冷媒が流れている時には、庫内ファン２８が庫内蒸発器９に送風している。
【０３９０】
また、庫内蒸発器９で蒸発できなかった余剰な液冷媒は、庫内蒸発器９と直列に接続された庫内蒸発器１０で蒸発して冷却専用室４も冷却する（直列冷却運転）。なお、庫内蒸
発器１０に冷媒が流れている時には、庫内ファン２９が庫内蒸発器１０に送風している。
【０３９１】
その後、第２の冷却加温室３の温度が目標温度（冷却温度範囲の下限値）に達した時点で、三方弁４２から膨張機構４５へと冷媒が流れるように三方弁４２を切り換えて、図１８の太線の冷媒流路を矢印の向きに冷媒が流れる運転にすることで、庫内蒸発器９と庫内蒸発器１０のうち庫内蒸発器１０のみの単独冷却を行う（下流側単独冷却運転）。
【０３９２】
このように優先的に直列冷却運転を行うことで、余剰液冷媒によって冷却専用室４も冷却されることから下流側単独冷却運転の運転率を低下することができ、消費電力量を低減することができる。
【０３９３】
そして、庫内蒸発器１０から流出した冷媒は、気液分離器５９でガス冷媒と液冷媒とに分離されて、気液分離器５９で液冷媒と分離されたガス冷媒が圧縮機５に吸い込まれる。
【０３９４】
そして、制御手段（図示せず）が、第２の冷却加温室３と冷却専用室４の各室内の温度が予め設定された冷却温度範囲内を維持するように、三方弁４２の切換え、圧縮機５と庫外ファン２６と庫内ファン２８，２９の運転を制御している。また、第１の冷却加温室２の室内温度が予め設定された加温温度範囲内を維持するように、加温ヒータ３０の通電を制御している。
【０３９５】
また、第２の冷却加温室３が冷却温度範囲の下限値となる所定温度まで冷却されると、膨張機構４４への流路を閉塞し膨張機構４５への流路を開放する状態に三方弁４２を切換えて、庫内ファン２８を停止する。また、圧縮機５の停止中に第２の冷却加温室３内の温度が冷却温度範囲の上限値となる所定温度まで上昇すれば、膨張機構４４への流路を開放し膨張機構４５への流路を閉鎖する状態に三方弁４２を切換えて、圧縮機５を起動し、庫内ファン２８を運転する。
【０３９６】
また、三方弁４２が膨張機構４４への流路を閉塞し膨張機構４５への流路を開放して、庫内蒸発器９と庫内蒸発器１０のうち庫内蒸発器１０のみの単独冷却（下流側単独冷却運転）をしている状態で、第２の冷却加温室３内の温度が冷却温度範囲の上限値となる所定温度まで上昇すれば、膨張機構４４への流路を開放し膨張機構４５への流路を閉塞する状態に三方弁４２を切り換えて、庫内ファン２８を運転する。
【０３９７】
また、庫内蒸発器９と庫内蒸発器１０の直列冷却運転から庫内蒸発器１０のみの下流側単独冷却運転への移行後に、冷却専用室４が冷却温度範囲の下限値となる所定温度まで冷却されると、三方弁４２の膨張機構４５側の冷媒の出口の閉塞と庫内ファン２９の停止に加え、圧縮機５も停止する。
【０３９８】
また、圧縮機５の停止中に冷却専用室４内の温度が冷却温度範囲の上限値となる所定温度まで上昇すれば、膨張機構４４への流路を開放し膨張機構４５への流路を閉塞する状態に三方弁４２を切り換えて、圧縮機５を起動し、庫内ファン２９を運転する。
【０３９９】
なお、圧縮機５の起動時には、予め、三方弁４２は膨張機構４４への流路を開放し膨張機構４５への流路を閉塞する状態にし、電磁弁５１と電磁弁５２と電磁弁５６とを閉塞する。
【０４００】
そして、圧縮機５を停止した時は、冷媒回路の高低圧をバランスさせるために、三方弁４２の膨張機構４４側の冷媒の出口または膨張機構４５側の冷媒の出口を開放して、庫内凝縮器４６の冷媒の出口と圧縮機５の吸い込み側（吸入側）配管とを連通させる。
【０４０１】
そして、冷媒回路の高低圧がバランスした後に、三方弁４２の膨張機構４４側の冷媒の出口または膨張機構４５側の冷媒の出口を閉塞する。
【０４０２】
このことによって、圧縮機５の停止中に冷却運転で使用しない庫内凝縮器４６へと余剰な冷媒を貯留する事ができるので、冷却運転中における冷媒量過多を防止することが可能となる。また、三方弁５７で冷媒が漏れることによって庫内凝縮器４６へと冷媒が貯留され続けて冷媒不足状態に陥ることを防ぐことができる。
【０４０３】
なお、第２の冷却加温室３を加温ヒータ３１による加温運転から冷却運転に切換えた時や高外気温度でのイニシャルプルダウン時など、庫内の温度が高く、大きな冷凍能力を必要とする場合においては、圧縮機５の運転・停止にかかわらず常に電磁弁５０を開放して、庫内凝縮器４６の冷媒の出口と圧縮機５の吸い込み側（吸入側）配管とを連通すれば、全冷媒を冷却運転に利用できるので、大きな冷凍能力を得る事ができ、プルダウン時間を短縮することが可能となる。
【０４０４】
次に、第１の冷却加温室２を加温ヒータ３０で加温し、冷却専用室４を冷却する冷却運転の場合は、図１８の太線の冷媒流路を矢印の向きに冷媒が流れる運転となる。
【０４０５】
第１の冷却加温室２を加温ヒータ３０で加温し、冷却専用室４を冷却する冷却運転の場合は、三方弁５７を、圧縮機５の吐出配管と庫外凝縮器４０とが連通する状態にするとともに、三方弁４２は庫内蒸発器９用の膨張機構４４への流路を閉塞し庫内蒸発器１０用の膨張機構４５への流路を開放する状態にし、電磁弁５１と電磁弁５２と電磁弁５６を閉塞し、圧縮機５を起動する。さらに、加温ヒータ３０に通電する。なお、加温ヒータ３０に通電している時は、庫内ファン２７が庫内蒸発器４７に送風している。
【０４０６】
制御手段（図示せず）は、第１の冷却加温室２の室内温度が予め設定された加温温度範囲内を維持するように、加温ヒータ３０の通電を制御している。
【０４０７】
圧縮機５から吐出された高温高圧のガス状の冷媒は、三方弁５７を通過して庫外凝縮器４０で冷却されて凝縮する。なお、庫外凝縮器４０に冷媒が流れている時には、庫外ファン２６が庫外凝縮器４０に送風している。庫外凝縮器４０で凝縮した冷媒は、三方弁４２から膨張機構４５側に流れ、膨張機構４５にて減圧された後に庫内蒸発器１０で蒸発気化して冷却専用室４を冷却する。なお、庫内蒸発器１０に冷媒が流れている時には、庫内ファン２９が庫内蒸発器１０に送風している。
【０４０８】
そして、庫内蒸発器１０から流出した冷媒は、気液分離器５９でガス冷媒と液冷媒とに分離されて、気液分離器５９で液冷媒と分離されたガス冷媒が圧縮機５に吸い込まれる。
【０４０９】
そして、冷却専用室４が冷却温度範囲の下限値となる所定温度まで冷却されると、三方弁４２の膨張機構４５側の冷媒の出口の閉塞と庫内ファン２９の停止に加え、圧縮機５も停止する。
【０４１０】
また、圧縮機５の停止中に冷却専用室４内の温度が冷却温度範囲の上限値となる所定温度まで上昇すれば、膨張機構４５への流路を開放する状態に三方弁４２を切り換えて、圧縮機５を起動し、庫内ファン２９を運転する。
【０４１１】
なお、圧縮機５の起動時には、予め、電磁弁５１と電磁弁５２と電磁弁５６とを閉塞している。
【０４１２】
そして、圧縮機５を停止した時は、冷媒回路の高低圧をバランスさせるために、三方弁
４２の膨張機構４５側の冷媒の出口を開放して、庫内凝縮器４６の冷媒の出口と圧縮機５の吸い込み側（吸入側）配管とを連通させる。
【０４１３】
そして、冷媒回路の高低圧がバランスした後に、三方弁４２の膨張機構４５側の冷媒の出口を閉塞する。
【０４１４】
このことによって、圧縮機５の停止中に冷却運転で使用しない庫内凝縮器４６へと余剰な冷媒を貯留する事ができるので、冷却運転中における冷媒量過多を防止することが可能となる。また、三方弁５７で冷媒が漏れることによって庫内凝縮器４６へと冷媒が貯留され続けて冷媒不足状態に陥ることを防ぐことができる。
【０４１５】
なお、高外気温度でのイニシャルプルダウン時など、庫内の温度が高く、大きな冷凍能力を必要とする場合においては、圧縮機５の運転・停止にかかわらず常に電磁弁５０を開放して、庫内凝縮器４６の冷媒の出口と圧縮機５の吸い込み側（吸入側）配管とを連通すれば、全冷媒を冷却運転に利用できるので、大きな冷凍能力を得る事ができ、プルダウン時間を短縮することが可能となる。
【０４１６】
以上説明したように本実施の形態の自動販売機は、圧縮機５と、圧縮機５から吐出された冷媒を凝縮させる庫外凝縮器４０と、複数の商品収納室（第１の冷却加温室２、第２の冷却加温室３、冷却専用室４）に設置され庫外凝縮器４０で凝縮した冷媒を蒸発させて商品収納室（第１の冷却加温室２、第２の冷却加温室３、冷却専用室４）内の商品を冷却する庫内蒸発器９，１０，４７と、複数の庫内蒸発器９，１０，４７に冷媒流路を分岐する分岐点と複数の前記庫内蒸発器との間の分岐流路を開閉する分岐流路開閉手段（三方弁４２と電磁弁５１）と、複数の商品収納室（第１の冷却加温室２、第２の冷却加温室３、冷却専用室４）のうちで冷媒の凝縮熱を利用して商品収納室（第１の冷却加温室２）内の商品を加温する商品収納室（第１の冷却加温室２）に設置された庫内凝縮器４６と、庫内凝縮器４６で商品収納室（第１の冷却加温室２）内の商品を加温する時に圧縮機５から吐出された冷媒を庫内凝縮器４６を経由させてから庫外凝縮器４０に流し庫内凝縮器４６で商品収納室（第１の冷却加温室２）内の商品を加温しない時に圧縮機５から吐出された冷媒を庫内凝縮器４６を経由させずに庫外凝縮器４０に流す庫内凝縮器用流路切替手段（三方弁５７）と、庫外凝縮器４０と分岐流路開閉手段（三方弁４２と電磁弁５１）との間の冷媒配管と圧縮機５の吸い込み側配管とをバイパスするバイパス流路に設けられた庫外蒸発器４１と、庫外蒸発器４１の流入側でバイパス流路を開閉するバイパス流路開閉手段（電磁弁５２）と、バイパス流路開閉手段（電磁弁５２）と庫外蒸発器４１との間のバイパス流路に設けられ庫内凝縮器４６と庫外凝縮器４０で凝縮しバイパス流路に流入した冷媒を減圧するバイパス流路膨張手段（膨張機構５３）と、複数の商品収納室（第１の冷却加温室２、第２の冷却加温室３、冷却専用室４）のうちで庫内凝縮器４６が設置されていない少なくとも１つの商品収納室（冷却専用室４）に設置され庫外凝縮器４０で凝縮した冷媒を蒸発させて商品収納室（冷却専用室４）内の商品を庫内蒸発器１０よりも高い温度で冷却する庫内弱冷蒸発器５４と、庫内弱冷蒸発器５４に冷媒流路を分岐する分岐点と庫内弱冷蒸発器５４との間の分岐流路を開閉する弱冷分岐流路開閉手段（電磁弁５６）と、を有する自動販売機である。
【０４１７】
上記構成により、冷却室の負荷が低下する低外気温時において、庫内凝縮器４６を有する商品収納室（第１の冷却加温室２）で庫内凝縮器４６により加温するが、他の商品収納室（第２の冷却加温室３、冷却専用室４）の庫内蒸発器９，１０に冷媒を流せない場合でも、庫内弱冷蒸発器５４と庫外蒸発器４１のどちらか一方または両方に冷媒を流す冷媒流路にすることにより、圧縮機５の運転を継続でき、庫内凝縮器４６のヒートポンプ加温能力を高めて、効率の良いヒートポンプ加温運転によって消費電力量を更に削減することができる。
【０４１８】
また、弱冷分岐流路開閉手段（電磁弁５６）と庫内弱冷蒸発器５４との間の流路に、庫内弱冷蒸発器５４に流入する冷媒によって庫内弱冷蒸発器５４の温度が冷却商品が凍結する温度以下にならないように冷媒を減圧する弱冷分岐流路膨張手段（膨張機構５５）を有するので、庫内弱冷蒸発器５４に流入する冷媒によって庫内弱冷蒸発器５４の温度が冷却商品が凍結する温度以下にならないので、庫内弱冷蒸発器５４が設置された商品収納室（冷却専用室４）内の冷却商品を庫内蒸発器１０で冷却していない時に、庫内弱冷蒸発器５４に冷媒を流して庫内凝縮器４６で加温することができる。
【０４１９】
また、本実施の形態の自動販売機においては、第１の冷却加温室２を庫内凝縮器４６で加温する場合に、電磁弁５２と電磁弁５６の開閉と、三方弁４２の庫内蒸発器９用の膨張機構４４への流路（出口）と庫内蒸発器１０用の膨張機構４５への流路（出口）の開閉を制御して、庫内蒸発器９，１０と庫外蒸発器４１と庫内弱冷蒸発器５４のいずれかで冷媒を蒸発させることによって、第１の冷却加温室２を加温するために必要な熱源を庫内蒸発器９，１０、庫外蒸発器４１、庫内弱冷蒸発器５４から選択することができるので、第２の冷却加温室３、冷却専用室４の負荷状態に関係なく、圧縮機５の運転を継続して第１の冷却加温室２を加温することが可能となり、冷却室の負荷が低下する低外気温時においてもヒートポンプ加温運転をすることによる消費電力量削減を図ることができる。
【０４２０】
さらに、庫内凝縮器４６の冷媒の出口側と庫外凝縮器４０との間（庫内凝縮器４６の冷媒の出口側と逆止弁５８との間）の配管上に膨張機構４８を設けることで庫内凝縮温度と庫外凝縮温度に差をつけることができ、低外気時において庫外凝縮器４０の凝縮温度や凝縮圧力が下がった場合でも、庫内凝縮器４６は高い凝縮温度を維持することができ、第１の冷却加温室２を効率よく加温する事ができるので、冬場に低外気温となる地域でも効率の高い加温運転を実施できる。
【０４２１】
また、庫内凝縮器４６の冷媒の出口側と庫外凝縮器４０との間（庫内凝縮器４６の冷媒の出口側と逆止弁５８との間）の配管上に膨張機構４８を設けると、冷媒密度が低下するので冷媒量を削減することができる。冷媒量を削減することによって凝縮器を２個使用する冷却加温運転と凝縮器を１個使用する冷却運転とで生じる最適冷媒量差を減少することができるとともに、可燃性冷媒を用いた際の漏洩時におけるリスク軽減にもつなげることができる。
【０４２２】
膨張機構４８にキャピラリチューブを用いることで、膨張機構としての役割と庫内凝縮器４６と逆止弁５８とを接続する配管としての役割を兼用することができるので、膨張弁などを用いた場合と比較して、さらに冷媒量を削減することが可能となる。また、膨張機構４３，４４，４５，５３，５５についても、キャピラリチューブを用いることができる。
【０４２３】
さらに、庫外凝縮器４０の下流側で庫内蒸発器９，１０、庫外蒸発器４１、庫内弱冷蒸発器５４を選択する形で運転モードを切り替えることで、冷却加温運転、加温運転のどちらにおいても庫内凝縮器４６で凝縮された冷媒が再度、庫外凝縮器４０で凝縮され、冷却加温運転と加温運転とで凝縮器の配管容積が同一になり、最適冷媒量を同一にすることが可能となる。
【０４２４】
庫外蒸発器４１に冷媒を流す加温運転の場合は、商品収納庫下部の機械室に設置した庫外蒸発器４１にて冷媒が蒸発気化して周囲空気を冷却することになるために、周囲空気の湿度が高い状態においては庫外蒸発器４１内の配管が結露もしくは着霜し、結露水が機械室から自動販売機外へと滴下する恐れがあるが、この場合においても庫外凝縮器４０と庫外蒸発器４１とをフィンを共用した一体型熱交換器とし、さらに常に庫外凝縮器４０にて
放熱して凝縮する配管構成とすることで庫外凝縮器４０と庫外蒸発器４１との間で熱交換することができ、そのことにより庫外蒸発器４１により周囲空気を冷却する熱量を緩和することができると共に庫外凝縮器４０からの放熱によって一体型熱交換器のフィンを暖めることで結露水を蒸発させることができるので結露水の自販機庫外への滴下を防ぐことができる。
【０４２５】
この際に、庫外凝縮器４０の配管を庫外ファン２６が運転した時に風上側になるように配置することで、より庫外凝縮器４０と庫外蒸発器４１との熱交換を高めることができ、より結露を抑制することが可能となる。
【０４２６】
さらに、庫外蒸発器４１の中で最も温度が低下する入口を一体型熱交換器の上部に配置することで結露水がフィンをつたって滴下する距離が長くなるので滴下途中で蒸発しやすく、より滴下しにくくなる。さらに、一体型熱交換器の下部に滴下した結露水を受ける皿を配置することでさらに自動販売機庫外への滴下を防ぐことができる。
【０４２７】
また、庫内凝縮器４６内を冷媒が通過しない冷却運転においては三方弁５７内で高圧となる圧縮機５の吐出配管側から低圧側となる庫内凝縮器４６側へと冷媒が漏洩することで庫内凝縮器４６へと冷媒や冷凍機油が滞留し続けて冷却能力不足や圧縮機５の故障などが生じる原因となるが、庫内凝縮器４６と低圧側配管とを接続する配管上に電磁弁５０を設けており、電磁弁５０を開放することで庫内凝縮器４６へと滞留した冷媒やオイルを低圧となる圧縮機５の吸入配管へと回収することができ、冷却能力不足や圧縮機５の故障を防止することができる。
【０４２８】
また、電磁弁５０を開放することで庫内凝縮器４６の配管内圧力も圧縮機５の吸入圧力と同一になる。そのことによって三方弁５７内での高低圧差を確保することができ、三方弁５７内での冷媒の漏洩を防止することも可能となる。
【０４２９】
なお、三方弁５７における冷媒の漏れ量は通常時は非常に少ないので、電磁弁５０を常に開放するのでなく、圧縮機５の起動中に定期的に所定の時間開放するとしても同様の効果を得ることができる。そのことによって電磁弁５０電力量を最低限に抑制することも可能となる。
【０４３０】
さらに、三方弁５７に異常があり、三方弁５７の漏れ量が通常よりも多い場合を検知して、電磁弁５０の開放時間を変更させる制御があると漏れ量が多くなる異常時においても対応することが可能となる。
【０４３１】
庫内凝縮器４６と圧縮機５の吸入配管とを接続することで滞留冷媒の回収を行ったが、接続する配管は圧縮機５の吸入圧力と同一となる場所であればどこでもよく、具体的には膨張機構４３，４４，４５，５３，５５より下流であれば良い。
【０４３２】
ただし、商品収納庫内で接続すると商品収納庫内に電磁弁５０を設けることとなり、スペースが必要となることから商品収納スペースが狭くなる可能性があることと、商品収納庫を冷却している場合は電磁弁５０に通電することで熱負荷となることから圧縮機５の吸入配管近傍に接続するのが最も効率良く冷媒回収を行うことができる。
【０４３３】
庫外凝縮器４０の配管を一体型熱交換器の下部に配置し、庫外蒸発器４１の配管を一体型熱交換器の上部に配置した場合は、上部の庫外蒸発器４１において発生しフィンを伝って滴下する結露水を下部の庫外凝縮器４０近傍で蒸発することで、結露水の滴下を防止することができる。
【０４３４】
圧縮機５については、第１の冷却加温室２、第２の冷却加温室３、冷却専用室４の冷却負荷または第１の冷却加温室２の加温負荷が大きく、所定温度範囲に冷却または加温するのに時間がかかる場合に能力を上げる能力可変型の圧縮機も使用できる。
【０４３５】
同様に、庫外ファン２６と庫内ファン２７，２８，２９についても、必要に応じて送風量を増減できるファンも使用できる。
【０４３６】
また、庫外ファン２６と庫内ファン２７，２８，２９の運転と停止のタイミングは、必要に応じて、圧縮機５の動作や、対応する熱交換器の冷媒の流れの状態の変化のタイミングからずらすことも可能であり、可燃性冷媒を用いている場合は、圧縮機５の停止時に庫外ファン２６を所定能力で運転しても良い。
【産業上の利用可能性】
【０４３７】
以上のように、本発明は、庫内凝縮器を有する商品収納室で庫内凝縮器により加温する場合に、他の商品収納室の運転状態に関係なく、効率の良いヒートポンプ加温を行うことができ、省エネを図ることができるので、自動販売機に限らず、複数の室に対して、圧縮機が一つの冷媒回路（ヒートポンプ）を用いて冷却加温を行う機器にも適用できる。
【符号の説明】
【０４３８】
１    商品収納庫
２    第１の冷却加温室（商品収納室）
３    第２の冷却加温室（商品収納室）
４    冷却専用室（商品収納室）
５    圧縮機
９    庫内蒸発器
１０  庫内蒸発器
２６  庫外ファン
２７  庫内ファン
２８  庫内ファン
２９  庫内ファン
３０  加温ヒータ
３１  加温ヒータ
４０  庫外凝縮器
４１  庫外蒸発器
４２  三方弁（分岐流路開閉手段）
４３  膨張機構
４４  膨張機構
４５  膨張機構
４６  庫内凝縮器
４７  庫内蒸発器
４８  膨張機構
４９  四方切換弁（庫内凝縮器用流路切替手段）
５０  電磁弁
５１  電磁弁（分岐流路開閉手段）
５２  電磁弁（バイパス流路開閉手段）
５３  膨張機構（バイパス流路膨張手段）
５４  庫内弱冷蒸発器
５５  膨張機構（弱冷分岐流路膨張手段）
５６  電磁弁（弱冷分岐流路開閉手段）
５７  三方弁（庫内凝縮器用流路切替手段）
５８  逆止弁
５９  気液分離器
【図１】
0006572444.tif 000002
【図２】
0006572444.tif 000003
【図３】
0006572444.tif 000004
【図４】
0006572444.tif 000005
【図５】
0006572444.tif 000006
【図６】
0006572444.tif 000007
【図７】
0006572444.tif 000008
【図８】
0006572444.tif 000009
【図９】
0006572444.tif 000010
【図１０】
0006572444.tif 000011
【図１１】
0006572444.tif 000012
【図１２】
0006572444.tif 000013
【図１３】
0006572444.tif 000014
【図１４】
0006572444.tif 000015
【図１５】
0006572444.tif 000016
【図１６】
0006572444.tif 000017
【図１７】
0006572444.tif 000018
【図１８】
0006572444.tif 000019
【図１９】
0006572444.tif 000020
【図２０】
0006572444.tif 000021
【図２１】
0006572444.tif 000022
【図２２】
0006572444.tif 000023
【図２３】
0006572444.tif 000024